(57)【特許請求の範囲】
【請求項１】
情報伝送方法であって、前記方法は、
マスタ基地局によって、セカンダリ基地局に要求メッセージを送信するステップであって、前記要求メッセージは、フローの識別情報と、前記セカンダリ基地局にとって利用可能なデータ無線ベアラ（ＤＲＢ）識別子リストとを含むか、または、前記要求メッセージは、フローの識別情報、および前記フローとＤＲＢとの間のマッピング関係を含む、ステップと、
前記要求メッセージに応答して、前記マスタ基地局によって前記セカンダリ基地局から応答メッセージを受信するステップと
を備える、情報伝送方法。
【請求項２】
前記応答メッセージは、前記セカンダリ基地局によって承認されたフローの識別情報および前記セカンダリ基地局によって承認された前記フローに対応するトンネルエンドポイント情報を含む
請求項１に記載の方法。
【請求項３】
前記応答メッセージは、前記セカンダリ基地局によって承認されないフローの識別情報を含む
請求項１または２に記載の方法。
【請求項４】
前記方法は、
前記マスタ基地局によってコアネットワークデバイスに、前記セカンダリ基地局によって承認された前記フローの前記識別情報および前記セカンダリ基地局によって承認された前記フローに対応するトンネルエンドポイント情報を送信するステップ、または
前記マスタ基地局によってコアネットワークデバイスに、前記マスタ基地局によって承認されたフローの識別情報、前記マスタ基地局によって承認された前記フローに対応するトンネルエンドポイント情報、前記セカンダリ基地局によって承認された前記フローの前記識別情報、および前記セカンダリ基地局によって承認された前記フローに対応するトンネルエンドポイント情報を送信するステップをさらに備える
請求項１乃至３のいずれか一項に記載の方法。
【請求項５】
前記方法は、
前記マスタ基地局によって、ユーザ機器にＤＲＢ構成情報を送信するステップであって、前記ＤＲＢ構成情報は、ＤＲＢ識別子および前記ＤＲＢに対応するフローの識別情報を含む、ステップをさらに備える
請求項１乃至４のいずれか一項に記載の方法。
【請求項６】
前記ＤＲＢ構成情報は、前記マスタ基地局に対応するＤＲＢまたは前記セカンダリ基地局に対応するＤＲＢに属する
請求項５に記載の方法。
【請求項７】
前記方法は、
前記マスタ基地局によって、フロー識別子を、データ転送を実行するデータのＧＰＲＳトンネリングプロトコルＧＴＰフィールドのヘッダに追加するステップをさらに備える
請求項１乃至６のいずれか一項に記載の方法。
【請求項８】
前記フローの前記識別情報は、前記フローが属するプロトコルデータユニット（ＰＤＵ）セッションの識別子を含む
請求項１乃至７のいずれか一項に記載の方法。
【請求項９】
前記要求メッセージは、前記フローのサービス品質（ＱｏＳ）特性情報をさらに含む
請求項１乃至８のいずれか一項に記載の方法。
【請求項１０】
前記応答メッセージは、前記セカンダリ基地局によって承認されたフローについて前記セカンダリ基地局によって割り振られたリソースを含む
請求項１乃至９のいずれか一項に記載の方法。
【請求項１１】
情報伝送方法であって、
セカンダリ基地局によって、マスタ基地局から要求メッセージを受信するステップであって、前記要求メッセージは、フローの識別情報と、前記セカンダリ基地局にとって利用可能なデータ無線ベアラ（ＤＲＢ）識別子リストとを含むか、または前記要求メッセージは、フローの識別情報、および前記フローとＤＲＢとの間のマッピング関係を含む、ステップと、
前記要求メッセージに応答して、前記セカンダリ基地局によって前記マスタ基地局に応答メッセージを送信するステップと
を備える、情報伝送方法。
【請求項１２】
前記方法は、
前記セカンダリ基地局によって、ＤＲＢ識別子と前記フローの前記識別情報との間のマッピング関係を判定するステップであって、前記ＤＲＢ識別子は、前記ＤＲＢ識別子リストに属する、ステップをさらに備える
請求項１１に記載の方法。
【請求項１３】
前記方法は、
前記セカンダリ基地局によって、判定された前記マッピング関係に従って、伝送のために前記フローを前記ＤＲＢにマッピングするステップをさらに備える
請求項１２に記載の方法。
【請求項１４】
前記応答メッセージは、前記セカンダリ基地局によって承認されたフローの識別情報および前記セカンダリ基地局によって承認された前記フローに対応するトンネルエンドポイント情報を含む
請求項１１乃至１３のいずれか一項に記載の方法。
【請求項１５】
前記応答メッセージは、前記セカンダリ基地局によって承認されないフローの識別情報を含む
請求項１１乃至１４のいずれか一項に記載の方法。
【請求項１６】
前記フローの前記識別情報は、前記フローが属するプロトコルデータユニット（ＰＤＵ）セッションの識別子を含む
請求項１１乃至１５のいずれか一項に記載の方法。
【請求項１７】
前記要求メッセージは、前記フローのサービス品質（ＱｏＳ）特性情報をさらに含む
請求項１１乃至１６のいずれか一項に記載の方法。
【請求項１８】
前記応答メッセージは、前記セカンダリ基地局によって承認されたフローについて前記セカンダリ基地局によって割り振られたリソースを含む
請求項１１乃至１７のいずれか一項に記載の方法。
【請求項１９】
マスタ基地局のための情報伝送装置であって、前記装置は、処理ユニットおよび通信ユニットを備え、
前記処理ユニットは、前記通信ユニットを使用することによってセカンダリ基地局に要求メッセージを送信することであって、前記要求メッセージは、フローの識別情報と、前記セカンダリ基地局にとって利用可能なデータ無線ベアラ（ＤＲＢ）識別子リストとを含むか、または前記要求メッセージは、フローの識別情報、および前記フローとＤＲＢとの間のマッピング関係を含み、
前記通信ユニットを使用することによって前記要求メッセージに応答して応答メッセージを前記セカンダリ基地局から受信するように構成された、情報伝送装置。
【請求項２０】
前記応答メッセージは、前記セカンダリ基地局によって承認されたフローの識別情報および前記セカンダリ基地局によって承認された前記フローに対応するトンネルエンドポイント情報を含む
請求項１９に記載の装置。
【請求項２１】
前記応答メッセージは、前記セカンダリ基地局によって承認されないフローの識別情報を含む
請求項１９または２０に記載の装置。
【請求項２２】
前記通信ユニットは、
コアネットワークデバイスに、前記セカンダリ基地局によって承認された前記フローの前記識別情報および前記セカンダリ基地局によって承認された前記フローに対応するトンネルエンドポイント情報を送信し、または
コアネットワークデバイスに、マスタ基地局によって承認されたフローの識別情報、前記マスタ基地局によって承認された前記フローに対応するトンネルエンドポイント情報、前記セカンダリ基地局によって承認された前記フローの前記識別情報、および前記セカンダリ基地局によって承認された前記フローに対応するトンネルエンドポイント情報を送信するようにさらに構成された
請求項１９乃至２１のいずれか一項に記載の装置。
【請求項２３】
前記通信ユニットは、
ユーザ機器にＤＲＢ構成情報を送信することであって、前記ＤＲＢ構成情報は、ＤＲＢ識別子および前記ＤＲＢに対応するフローの識別情報を含むようにさらに構成された
請求項１９乃至２２のいずれか一項に記載の装置。
【請求項２４】
前記ＤＲＢ構成情報は、前記マスタ基地局に対応するＤＲＢまたは前記セカンダリ基地局に対応するＤＲＢに属する
請求項２３に記載の装置。
【請求項２５】
前記処理ユニットは、フロー識別子を、データ転送を実行するデータのＧＰＲＳトンネリングプロトコルＧＴＰフィールドのヘッダに追加するようにさらに構成された
請求項１９乃至２４のいずれか一項に記載の装置。
【請求項２６】
前記フローの前記識別情報は、前記フローが属するプロトコルデータユニット（ＰＤＵ）セッションの識別子を含む
請求項１９乃至２５のいずれか一項に記載の装置。
【請求項２７】
前記要求メッセージは、前記フローのサービス品質（ＱｏＳ）特性情報をさらに含む
請求項１９乃至２６のいずれか一項に記載の装置。
【請求項２８】
前記応答メッセージは、前記セカンダリ基地局によって承認されたフローについて前記セカンダリ基地局によって割り振られたリソースを含む
請求項１９乃至２７のいずれか一項に記載の装置。
【請求項２９】
セカンダリ基地局のための情報伝送装置であって、前記装置は、処理ユニットおよび通信ユニットを備え、
前記処理ユニットは、前記通信ユニットを使用することによってマスタ基地局から要求メッセージを受信することであって、前記要求メッセージは、フローの識別情報と、前記セカンダリ基地局にとって利用可能なデータ無線ベアラ（ＤＲＢ）識別子リストとを含むか、または前記要求メッセージは、フローの識別情報、および前記フローとＤＲＢとの間のマッピング関係を含み、
前記通信ユニットを使用することによって前記要求メッセージに応答して応答メッセージを前記マスタ基地局に送信するように構成された、情報伝送装置。
【請求項３０】
前記応答メッセージは、前記セカンダリ基地局によって承認されたフローの識別情報および前記セカンダリ基地局によって承認された前記フローに対応するトンネルエンドポイント情報を含む
請求項２９に記載の装置。
【請求項３１】
前記処理ユニットは、ＤＲＢ識別子と前記フローの前記識別情報との間のマッピング関係を判定することであって、前記ＤＲＢ識別子は、前記ＤＲＢ識別子リストに属するように構成された
請求項２９または３０に記載の装置。
【請求項３２】
前記処理ユニットは、判定された前記マッピング関係に従って、伝送のために前記フローを前記ＤＲＢにマッピングするようにさらに構成された
請求項３１に記載の装置。
【請求項３３】
前記応答メッセージは、前記セカンダリ基地局によって承認されないフローの識別情報を含む
請求項２９乃至３２のいずれか一項に記載の装置。
【請求項３４】
前記フローの前記識別情報は、前記フローが属するプロトコルデータユニット（ＰＤＵ）セッションの識別子を含む
請求項２９乃至３３のいずれか一項に記載の装置。
【請求項３５】
前記要求メッセージは、前記フローのサービス品質（ＱｏＳ）特性情報をさらに含む
請求項２９乃至３４のいずれか一項に記載の装置。
【請求項３６】
前記応答メッセージは、前記セカンダリ基地局によって承認されたフローについて前記セカンダリ基地局によって割り振られたリソースを含む
請求項２９乃至３５のいずれか一項に記載の装置。
【請求項３７】
命令を含む、コンピュータ可読記憶媒体であって、前記命令がコンピュータ上で動作するとき、前記コンピュータは、請求項１乃至１８のいずれか一項に記載の方法を実施する、コンピュータ可読記憶媒体。
【請求項３８】
通信システムであって、前記システムは、マスタ基地局およびセカンダリ基地局を備え、
前記マスタ基地局は、請求項１乃至１０のいずれか一項に記載の方法を実施するように構成され、
前記セカンダリ基地局は、請求項１１乃至１８のいずれか一項に記載の方法を実施するように構成されたシステム。
【請求項３９】
情報伝送装置であって、少なくとも１つのプロセッサ、通信インターフェースおよびメモリを備え、前記少なくとも１つのプロセッサは、前記メモリに記憶された命令を読み出して動作し、請求項１乃至１０のいずれか一項に記載の方法を実施する基地局をサポートする、情報伝送装置。
【請求項４０】
情報伝送装置であって、少なくとも１つのプロセッサ、通信インターフェースおよびメモリを備え、前記少なくとも１つのプロセッサは、前記メモリに記憶された命令を読み出して動作し、請求項１１乃至１８のいずれか一項に記載の方法を実施する基地局をサポートする、情報伝送装置。
【請求項４１】
基地局であって、少なくとも１つのプロセッサ、通信インターフェース、トランシーバおよびメモリを備え、前記少なくとも１つのプロセッサは、前記メモリに記憶された命令を読み出して動作し、請求項１乃至１０または請求項１１乃至１８のいずれか一項に記載の方法を実施する前記基地局をサポートする、基地局。
【発明の詳細な説明】
【技術分野】
【０００１】
本出願は、通信分野に関し、詳細には、情報伝送方法および装置に関する。
【背景技術】
【０００２】
本出願は、その全体が参照により本明細書に組み込まれる、２０１７年１月５日に中国国立知的財産管理局で出願された「INFORMATION TRANSMISSION METHOD AND APPARATUS」と題する中国特許出願第201710008434.X号明細書の優先権を主張する。
【０００３】
サービス品質（quality of service、ＱｏＳ）機構は、ネットワークのセキュリティ機構である。ネットワークデバイスは、ＱｏＳ機構を使用することによって異なる優先度でデータを処理して、ネットワークレイテンシおよびネットワーク輻輳などの問題を回避するのを助ける。
【０００４】
ロングタームエボリューション（Long Term Evolution、ＬＴＥ）システムでは、コアネットワークデバイスは、発展型パケットシステム（evolved packet system、ＥＰＳ）ベアラに異なるフローをマッピングする。１つのＥＰＳベアラは、１つのＳ１ベアラおよび１つのデータ無線ベアラ（data radio bearer、ＤＲＢ）を含む。コアネットワークデバイスは、Ｓ１ベアラを使用することによって基地局と通信し、基地局は、ＤＲＢを使用することによって端末デバイスと通信する。二重接続性（dual connectivity、ＤＣ）シナリオでは、マスタ基地局がセカンダリ基地局にＤＲＢを転送することを判定したとき、マスタ基地局は、コアネットワークデバイスが、セカンダリ基地局とのＤＲＢに対応する伝送チャネルを確立するように、セカンダリ基地局に転送されるべきＤＲＢ識別子をコアネットワークデバイスに通知する必要がある。
【０００５】
しかしながら、第５世代（5th-generation、５Ｇ）通信システムは、より高い要件をデータのＱｏＳ管理に課し、言い換えれば、より改良されたＱｏＳ管理がデータに対して実施される必要がある。従来技術では、マスタ基地局とセカンダリ基地局との間で実施されるＤＲＢベースの情報伝送は、ＱｏＳ管理についての５Ｇ通信システムの要件を満たすことができない。
【発明の概要】
【０００６】
本出願は、二重接続性シナリオにおける情報伝送のＱｏＳ管理についての５Ｇ通信システムの要件を満たすための、情報伝送方法および装置を提供する。
【０００７】
第１の態様によれば、情報伝送方法が提供される。本方法は、マスタ基地局によって、セカンダリ基地局に要求メッセージを送信するステップであって、要求メッセージは、フローの識別情報を含むか、または要求メッセージは、フローの識別情報、およびフローとＤＲＢとの間のマッピング関係を含む、ステップと、要求メッセージに応答して、マスタ基地局によってセカンダリ基地局から応答メッセージを受信するステップとを含む。
【０００８】
この実施形態において提供される情報伝送方法によれば、マスタ基地局は、少なくとも１つのフローを示すために使用される識別情報をセカンダリ基地局に送信するか、またはマスタ基地局は、少なくとも１つのフローを示すために使用される識別情報、および少なくとも１つのフローとＤＲＢとの間のマッピング関係をセカンダリ基地局に送信して、セカンダリ基地局は、フローのＱｏＳ要件に基づいてフローを異なるＤＲＢにマッピングし、それにより、より小さい粒度をもつＱｏＳ管理を実装することができる。
【０００９】
任意選択で、フローの識別情報は、フローのサービス品質ＱｏＳマークを含む。
【００１０】
この実施形態において提供される情報伝送方法によれば、マスタ基地局は、フローの識別情報としてフローのＱｏＳマークを使用し、異なるフローは直接区別されることが可能であり、より小さい領土をもつＱｏＳ管理が実装される。
【００１１】
任意選択で、フローの識別情報は、フローが属するプロトコルデータユニットＰＤＵセッションの識別子を含む。したがって、異なるフローは区別されることが可能であり、より小さい粒度をもつＱｏＳ管理が実装される。
【００１２】
任意選択で、要求メッセージは、フローのＱｏＳ特性情報をさらに含む。
【００１３】
この実施形態において提供される情報伝送方法によれば、マスタ基地局は、セカンダリ基地局にフローのＱｏＳ特性情報を送信し、セカンダリ基地局は、フローのＱｏＳ特性情報に基づいてＤＲＢについてのフローのＱｏＳ要件を判定することができる。
【００１４】
任意選択で、要求メッセージは、セカンダリ基地局にとって利用可能なＤＲＢ識別子をさらに含む。
【００１５】
この実施形態において提供される情報伝送方法によれば、マスタ基地局は、セカンダリ基地局に、セカンダリ基地局にとって利用可能なＤＲＢ識別子を送信する。セカンダリ基地局は、セカンダリ基地局にとって利用可能なＤＲＢ識別子に基づいてＤＲＢにフローをマッピングして、マスタ基地局によってマッピングされたＤＲＢとセカンダリ基地局によってマッピングされたＤＲＢとの間の競合を回避し、マスタ基地局の負荷を低減し得る。
【００１６】
任意選択で、要求メッセージは、セカンダリ基地局にとって利用不可能なＤＲＢ識別子をさらに含む。
【００１７】
マスタ基地局は、セカンダリ基地局に、セカンダリ基地局にとって利用不可能なＤＲＢ識別子を送信し得る。たとえば、マスタ基地局は、セカンダリ基地局に、フローにとって利用不可能なＤＲＢの識別子リストを送信し、マスタ基地局によってマッピングされたＤＲＢと、セカンダリ基地局によってマッピングされたＤＲＢとの間の競合を回避し、マスタ基地局の負荷を低減し得る。
【００１８】
任意選択で、応答メッセージは、セカンダリ基地局によって承認されたフローの識別情報およびセカンダリ基地局によって承認されたフローに対応するトンネルエンドポイント情報を含む。
【００１９】
したがって、マスタ基地局は、応答メッセージに基づいて、セカンダリ基地局にスプリットされることが可能なフローを判定し得る。
【００２０】
任意選択で、応答メッセージは、セカンダリ基地局によって承認されないフローの識別情報を含む。
【００２１】
したがって、マスタ基地局は、応答メッセージに基づいて、セカンダリ基地局にスプリットされることが可能なフローを判定し得る。
【００２２】
任意選択で、本方法は、マスタ基地局によってコアネットワークデバイスに、セカンダリ基地局によって承認されたフローの識別情報およびセカンダリ基地局によって承認されたフローに対応するトンネルエンドポイント情報を送信するステップ、またはマスタ基地局によってコアネットワークデバイスに、マスタ基地局によって承認されたフローの識別情報、マスタ基地局によって承認されたフローに対応するトンネルエンドポイント情報、セカンダリ基地局によって承認されたフローの識別情報、およびセカンダリ基地局によって承認されたフローに対応するトンネルエンドポイント情報を送信するステップをさらに含む。
【００２３】
マスタ基地局によって承認されたフローとセカンダリ基地局によって承認されたフローの両方は、コアネットワークによってマスタ基地局に送信されたＰＤＵセッション中のフローである。
【００２４】
この実施形態において提供される情報伝送方法によれば、基地局は、セカンダリ基地局上のＰＤＵセッション中に含まれるフローに対応するトンネルエンドポイント情報をコアネットワークデバイスに送信するか、または基地局は、マスタ基地局上のＰＤＵセッション中に含まれるフローに対応するトンネルエンドポイント情報およびセカンダリ基地局上のＰＤＵセッション中に含まれるフローに対応するトンネルエンドポイント情報をコアネットワークデバイスに送信し、ベアラは、フロー情報に基づいて作成または転送されることが可能である。
【００２５】
任意選択で、本方法は、マスタ基地局によってコアネットワークデバイスに、セカンダリ基地局によって承認されたフローの識別情報、セカンダリ基地局によって承認されたフローに対応するトンネルエンドポイント情報、およびセカンダリ基地局の識別子を送信するステップ、またはマスタ基地局によってコアネットワークデバイスに、マスタ基地局によって承認されたフローの識別情報、マスタ基地局によって承認されたフローに対応するトンネルエンドポイント情報、セカンダリ基地局によって承認されたフローの識別情報、セカンダリ基地局によって承認されたフローに対応するトンネルエンドポイント情報、マスタ基地局の識別子、およびセカンダリ基地局の識別子を送信するステップをさらに含む。
【００２６】
したがって、ＰＤＵセッション中のフローが、異なる基地局によってそれぞれ搬送されるとき、コアネットワークデバイスは、基地局の識別子に基づいて、ＰＤＵセッション中のフローが送信される基地局を判定し得る。
【００２７】
任意選択で、本方法は、マスタ基地局によって、ユーザ機器にＤＲＢ構成情報を送信するステップであって、ＤＲＢ構成情報は、ＤＲＢ識別子およびＤＲＢに対応するフローの識別情報を含む、ステップをさらに含む。
【００２８】
この実施形態において提供される情報伝送方法によれば、ユーザ機器は、ＤＲＢ構成情報に基づいてマスタ基地局およびセカンダリ基地局のうちの少なくとも１つからフローを受信することがあり、ベアラは、フロー情報に基づいて作成および転送されることが可能である。
【００２９】
任意選択で、マスタ基地局によって、セカンダリ基地局に要求メッセージを送信するステップの前に、本方法は、マスタ基地局によって、ユーザ機器からフロー識別子を受信するステップと、マスタ基地局によって、フロー識別子によって示されるフローのためのベアラを確立するステップとをさらに含む。
【００３０】
この実施形態において提供される情報伝送方法によれば、基地局は、ユーザ機器から受信されたフロー識別子に基づいて、フロー識別子によって示されるフローのためのベアラを確立し、ベアラは、フロー情報に基づいて作成および転送されることが可能であり、情報伝送のＱｏＳ管理についての５Ｇ通信システムの要件が満たされることが可能である。
【００３１】
第２の態様によれば、情報伝送方法が提供される。本方法は、セカンダリ基地局によって、マスタ基地局から要求メッセージを受信するステップであって、要求メッセージは、フローの識別情報を含むか、または要求メッセージは、フローの識別情報、およびフローとＤＲＢとの間のマッピング関係を含む、ステップと、要求メッセージに応答して、セカンダリ基地局によってマスタ基地局に応答メッセージを送信するステップとを含む。
【００３２】
この実施形態において提供される情報伝送方法によれば、セカンダリ基地局は、マスタ基地局によって送信されたフローの識別情報を受信して、フローの識別情報に基づいてフローのＱｏＳ要件を判定し、フローのＱｏＳ要件を満たすＤＲＢにフローをマッピングし、それにより、データに対してより改良されたＱｏＳ管理を実装する。
【００３３】
任意選択で、フローの識別情報は、フローのサービス品質ＱｏＳマークを含む。
【００３４】
したがって、セカンダリ基地局は、異なるフローを直接区別し、それにより、より小さい粒度をもつＱｏＳ管理を実装することが可能である。
【００３５】
任意選択で、フローの識別情報は、フローが属するＰＤＵセッションの識別子を含む。
【００３６】
したがって、セカンダリ基地局は、異なるフローを区別し、それにより、より小さい粒度をもつＱｏＳ管理を実装することが可能である。
【００３７】
任意選択で、要求メッセージは、フローのＱｏＳ特性情報をさらに含む。
【００３８】
したがって、セカンダリ基地局は、フローのＱｏＳ特性情報に基づいてＤＲＢについてのフローのＱｏＳ要件を判定し得る。
【００３９】
任意選択で、要求メッセージは、セカンダリ基地局にとって利用可能なＤＲＢ識別子をさらに含む。
【００４０】
この実施形態において提供される情報伝送方法によれば、マスタ基地局は、セカンダリ基地局に、セカンダリ基地局にとって利用可能なＤＲＢ識別子を送信する。セカンダリ基地局は、セカンダリ基地局にとって利用可能なＤＲＢ識別子に基づいてＤＲＢにフローをマッピングして、マスタ基地局によってマッピングされたＤＲＢとセカンダリ基地局によってマッピングされたＤＲＢとの間の競合を回避し、マスタ基地局の負荷を低減し得る。
【００４１】
任意選択で、要求メッセージは、セカンダリ基地局にとって利用不可能なＤＲＢ識別子をさらに含む。
【００４２】
マスタ基地局は、セカンダリ基地局に、セカンダリ基地局にとって利用不可能なＤＲＢ識別子を送信し得る。たとえば、マスタ基地局は、セカンダリ基地局に、フローにとって利用不可能なＤＲＢの識別子リストを送信し、マスタ基地局によってマッピングされたＤＲＢとセカンダリ基地局によってマッピングされたＤＲＢとの間の競合を回避し、マスタ基地局の負荷を低減し得る。
【００４３】
任意選択で、応答メッセージは、セカンダリ基地局によって承認されたフローの識別情報およびセカンダリ基地局によって承認されたフローに対応するトンネルエンドポイント情報を含む。
【００４４】
したがって、マスタ基地局は、応答メッセージに基づいて、セカンダリ基地局にスプリットされることが可能なフローを判定し得る。
【００４５】
任意選択で、応答メッセージは、セカンダリ基地局によって承認されないフローの識別情報を含む。
【００４６】
したがって、マスタ基地局は、応答メッセージに基づいて、セカンダリ基地局にスプリットされることが可能なフローを判定し得る。
【００４７】
第３の態様によれば、情報伝送方法が提供される。本方法は、コアネットワークデバイスによってマスタ基地局から、セカンダリ基地局によって承認されたフローの識別情報およびセカンダリ基地局によって承認されたフローに対応するトンネルエンドポイント情報を受信するステップと、セカンダリ基地局によって承認されたフローに対応するトンネルエンドポイント情報に基づいて、コアネットワークデバイスによってセカンダリ基地局に、セカンダリ基地局によって承認されたフローを送信するステップとを含む。
【００４８】
この実施形態において提供される情報伝送方法によれば、コアネットワークデバイスは、マスタ基地局から受信され、セカンダリ基地局上のセカンダリ基地局に移動させられたフローに対応するトンネルエンドポイント情報に基づいてセカンダリ基地局にフローを送信することがあり、それにより、ベアラは、フロー情報に基づいて転送されることが可能である。
【００４９】
任意選択で、本方法は、コアネットワークデバイスによって、マスタ基地局からセカンダリ基地局の識別子を受信するステップをさらに含む。
【００５０】
したがって、ＰＤＵセッション中のフローが、異なる基地局によってそれぞれ搬送されるとき、コアネットワークデバイスは、基地局の識別子に基づいて、ＰＤＵセッション中のフローが送られる基地局を判定し得る。
【００５１】
第４の態様によれば、情報伝送方法が提供される。本方法は、コアネットワークデバイスによってマスタ基地局から、マスタ基地局によって承認されたフローの識別情報、マスタ基地局によって承認されたフローに対応するトンネルエンドポイント情報、セカンダリ基地局によって承認されたフローの識別情報、およびセカンダリ基地局によって承認されたフローに対応するトンネルエンドポイント情報を受信するステップと、マスタ基地局によって承認されたフローに対応するトンネルエンドポイント情報に基づいて、コアネットワークデバイスによってマスタ基地局に、マスタ基地局によって承認されたフローを送信するステップと、セカンダリ基地局によって承認されたフローに対応するトンネルエンドポイント情報に基づいて、コアネットワークデバイスによってセカンダリ基地局に、セカンダリ基地局によって承認されたフローを送信するステップとを含む。
【００５２】
この実施形態において提供される情報伝送方法によれば、フローは、マスタ基地局上のフローに対応するトンネルエンドポイント情報およびセカンダリ基地局上のフローに対応するトンネルエンドポイント情報に基づいてマスタ基地局およびセカンダリ基地局に送信されることがあり、それらの２つのトンネルエンドポイント情報は、マスタ基地局から受信され、ベアラは、フロー情報に基づいて作成されることが可能である。
【００５３】
任意選択で、本方法は、コアネットワークデバイスによって、マスタ基地局からマスタ基地局の識別子およびセカンダリ基地局の識別子を受信するステップをさらに含む。
【００５４】
したがって、ＰＤＵセッション中のフローが、異なる基地局によってそれぞれ搬送されるとき、コアネットワークデバイスは、基地局の識別子に基づいて、ＰＤＵセッション中のフローが送られる基地局を判定し得る。
【００５５】
第５の態様によれば、情報伝送方法が提供される。本方法は、ユーザ機器ＵＥによって、第１のデータの識別情報に基づいて第１のＤＲＢを判定するステップと、ＵＥによって、第１のＤＲＢを使用することによって第１のデータを送信するステップとを含む。
【００５６】
この実施形態において提供される情報伝送方法によれば、ＵＥは、アップリンクデータのＱｏＳ要件に一致するＤＲＢを判定することがあり、ベアラは、フロー情報に基づいて作成および転送されることが可能である。
【００５７】
任意選択で、ＵＥによって、第１のデータの識別情報に基づいて第１のＤＲＢを判定するステップは、ＵＥによって、ＰＤＵセッションの識別子に対応するデフォルトベアラがＤＲＢであると判定するステップであって、第１のデータの識別情報はＰＤＵセッションの識別子を含む、ステップを含む。
【００５８】
この実施形態において提供される情報伝送方法によれば、デフォルトベアラはマスタ基地局上にあり得るか、またはセカンダリ基地局上にあり得る。ＵＥは、別のネットワーク要素と情報を交換することなしにアップリンクデータのＱｏＳ要件に一致するＤＲＢを判定することがあり、シグナリングオーバーヘッドが低減されることが可能である。
【００５９】
任意選択で、ＵＥによって、第１のデータの識別情報に基づいて第１のＤＲＢを判定するステップは、ＵＥによって、基地局に第１の要求メッセージを送信するステップであって、第１の要求メッセージは第１のデータの識別情報を含み、第１の要求メッセージは、第１のデータのためのＤＲＢマッピングを実施することを基地局に要求するために使用される、ステップと、ＵＥによって、基地局から返答メッセージを受信するステップであって、返答メッセージは、第１のデータと第１のＤＲＢとの間のマッピング関係を含む、ステップとを含む。
【００６０】
したがって、ＵＥは、アップリンクデータのＱｏＳ要件に一致するＤＲＢを判定することがあり、ベアラは、フロー情報に基づいて作成および転送されることが可能である。
【００６１】
任意選択で、本方法は、ＵＥによって、上位レイヤ情報および非アクセス層情報に基づいて第１のデータの識別情報を判定するステップをさらに含む。
【００６２】
したがって、この実施形態において提供される情報伝送方法によれば、ＵＥのアクセス層は、上位レイヤ情報および非アクセス層情報に基づいてアップリンクデータの識別情報を判定して、アップリンクデータの識別情報に基づいて、アップリンクデータを送信するためのＤＲＢを判定する。
【００６３】
第６の態様によれば、本出願は、ＵＥによって、マスタ基地局から構成メッセージを受信するステップであって、構成メッセージは、マスタ基地局上のＤＲＢ構成情報およびセカンダリ基地局上のＤＲＢ構成情報を含み、マスタ基地局上のＤＲＢ構成情報は、マスタ基地局上で確立されたＤＲＢに対応するフローの識別子を含み、セカンダリ基地局上のＤＲＢ構成情報は、セカンダリ基地局上で確立されたＤＲＢに対応するフローの識別子を含む、ステップと、構成メッセージに応答して、ＵＥによってマスタ基地局に応答メッセージを送信するステップとを含む、情報伝送方法を提供する。
【００６４】
任意選択で、応答メッセージは、ＵＥが、マスタ基地局上のＤＲＢ構成情報に対応する構成およびセカンダリ基地局上のＤＲＢ構成情報に対応する構成を完了することを示すために使用される。
【００６５】
ＤＲＢが確立される必要があるとき、ＵＥは、ＤＲＢ構成情報に基づいてマスタ基地局およびセカンダリ基地局のうちの少なくとも１つからデータ（すなわち、フロー）を受信することがあり、ベアラは、フロー情報に基づいて作成および転送されることが可能である。
【００６６】
任意選択で、構成メッセージは、無線リソース制御接続再構成メッセージである。
【００６７】
任意選択で、マスタ基地局上のＤＲＢ構成情報は、マスタ基地局上で確立されたＤＲＢに対応するフローが属するプロトコルデータユニットＰＤＵセッションの識別子をさらに含み、および／またはセカンダリ基地局上のＤＲＢ構成情報は、セカンダリ基地局上で確立されたＤＲＢに対応するフローが属するＰＤＵセッションの識別子をさらに含む。
【００６８】
任意選択で、マスタ基地局上で確立されたＤＲＢに対応するフローが属するＰＤＵセッションの識別子は、セカンダリ基地局上で確立されたＤＲＢに対応するフローが属するＰＤＵセッションの識別子と同じである。
【００６９】
任意選択で、本方法は、ＵＥによって、アップリンクデータが属するＰＤＵセッションの識別子に対応するＤＲＢがデフォルトベアラであると判定するステップであって、デフォルトベアラはマスタ基地局上で確立されるか、またはデフォルトベアラはセカンダリ基地局上で確立される、ステップをさらに含む。
【００７０】
第７の態様によれば、一実施形態は情報伝送装置を提供する。本装置は、第１の態様の方法においてマスタ基地局によって実施される機能を実装することができる。機能は、ハードウェアを使用することによって実装され得るか、または対応するソフトウェアを実行することによってハードウェアによって実装され得る。ハードウェアまたはソフトウェアは、機能に対応する１つまたは複数のユニットまたはモジュールを含む。
【００７１】
可能な設計では、装置の構造は、プロセッサ、通信インターフェース、およびトランシーバを含む。プロセッサは、上記の方法における対応する機能を実施する際に装置をサポートするように構成される。通信インターフェースおよびトランシーバは、装置と別のネットワーク要素との間の通信をサポートするように構成される。装置はメモリをさらに含み得る。メモリは、プロセッサに結合され、装置に必要なプログラム命令およびデータを記憶する。
【００７２】
第８の態様によれば、一実施形態は情報伝送装置を提供する。本装置は、第２の態様の方法においてセカンダリ基地局によって実施される機能を実装することができる。機能は、ハードウェアを使用することによって実装され得るか、または対応するソフトウェアを実行することによってハードウェアによって実装され得る。ハードウェアまたはソフトウェアは、機能に対応する１つまたは複数のユニットまたはモジュールを含む。
【００７３】
可能な設計では、装置の構造は、プロセッサ、通信インターフェース、およびトランシーバを含む。プロセッサは、上記の方法における対応する機能を実施する際に装置をサポートするように構成される。通信インターフェースおよびトランシーバは、装置と別のネットワーク要素との間の通信をサポートするように構成される。装置はメモリをさらに含み得る。メモリは、プロセッサに結合され、装置に必要なプログラム命令およびデータを記憶する。
【００７４】
第９の態様によれば、一実施形態は情報伝送装置を提供する。本装置は、第３の態様および／または第４の態様の方法においてコアネットワークデバイスによって実施される機能を実装することができる。機能は、ハードウェアを使用することによって実装され得るか、または対応するソフトウェアを実行することによってハードウェアによって実装され得る。ハードウェアまたはソフトウェアは、機能に対応する１つまたは複数のユニットまたはモジュールを含む。
【００７５】
可能な設計では、装置の構造は、プロセッサおよび通信インターフェースを含む。プロセッサは、上記の方法における対応する機能を実施する際に装置をサポートするように構成される。通信インターフェースは、装置と別のネットワーク要素との間の通信をサポートするように構成される。装置はメモリをさらに含み得る。メモリは、プロセッサに結合され、装置に必要なプログラム命令およびデータを記憶する。
【００７６】
第１０の態様によれば、一実施形態は情報伝送装置を提供する。本装置は、第５の態様および／または第６の態様の方法においてユーザ機器によって実施される機能を実装することができる。機能は、ハードウェアを使用することによって実装され得るか、または対応するソフトウェアを実行することによってハードウェアによって実装され得る。ハードウェアまたはソフトウェアは、機能に対応する１つまたは複数のユニットまたはモジュールを含む。
【００７７】
可能な設計では、装置の構造は、プロセッサおよびトランシーバを含む。プロセッサは、上記の方法における対応する機能を実施する際に装置をサポートするように構成される。トランシーバは、装置と別のネットワーク要素との間の通信をサポートするように構成される。装置はメモリをさらに含み得る。メモリは、プロセッサに結合され、装置に必要なプログラム命令およびデータを記憶する。
【００７８】
第１１の態様によれば、一実施形態は通信システムを提供する。本システムは、上記の態様で説明されたマスタ基地局およびセカンダリ基地局を含む。任意選択で、本システムは、上記の態様で説明されたコアネットワークデバイスをさらに含み得る。任意選択で、本システムは、上記の態様で説明されたユーザ機器をさらに含み得る。
【００７９】
第１２の態様によれば、一実施形態はコンピュータ可読記憶媒体を提供する。コンピュータ可読記憶媒体はコンピュータプログラムコードを記憶し、コンピュータプログラムコードがコンピュータによって実行されたとき、コンピュータは、第１の態様におけるマスタ基地局の機能を実装する。
【００８０】
第１３の態様によれば、一実施形態はコンピュータ可読記憶媒体を提供する。コンピュータ可読記憶媒体はコンピュータプログラムコードを記憶し、コンピュータプログラムコードがコンピュータによって実行されたとき、コンピュータは、第２の態様におけるセカンダリ基地局の機能を実装する。
【００８１】
第１４の態様によれば、一実施形態はコンピュータ可読記憶媒体を提供する。コンピュータ可読記憶媒体はコンピュータプログラムコードを記憶し、コンピュータプログラムコードがコンピュータによって実行されたとき、コンピュータは、第３の態様および／または第４の態様におけるコアネットワークデバイスの機能を実装する。
【００８２】
第１５の態様によれば、一実施形態はコンピュータ可読記憶媒体を提供する。コンピュータ可読記憶媒体はコンピュータプログラムコードを記憶し、コンピュータプログラムコードがコンピュータによって実行されたとき、コンピュータは、第５の態様および／または第６の態様における端末デバイスの機能を実装する。
【００８３】
第１６の態様によれば、一実施形態は通信チップシステムを提供する。通信チップシステムは少なくとも１つのプロセッサを含み、少なくとも１つのプロセッサは、メモリに結合され、メモリに記憶された命令を読み取り、実行して、第１の態様におけるマスタ基地局の機能を実装する。
【００８４】
第１７の態様によれば、一実施形態は通信チップシステムを提供する。通信チップシステムは少なくとも１つのプロセッサを含み、少なくとも１つのプロセッサは、メモリに結合され、メモリに記憶された命令を読み取り、実行して、第２の態様におけるセカンダリ基地局の機能を実装する。
【００８５】
第１８の態様によれば、一実施形態は通信チップシステムを提供する。通信チップシステムは少なくとも１つのプロセッサを含み、少なくとも１つのプロセッサは、メモリに結合され、メモリに記憶された命令を読み取り、実行して、第３の態様および／または第４の態様におけるコアネットワークデバイスの機能を実装する。
【００８６】
第１９の態様によれば、一実施形態は通信チップシステムを提供する。通信チップシステムは少なくとも１つのプロセッサを含み、少なくとも１つのプロセッサは、メモリに結合され、メモリに記憶された命令を読み取り、実行して、第５の態様および／または第６の態様における端末デバイスの機能を実装する。
【００８７】
第２０の態様によれば、本出願はコンピュータプログラム製品を提供する。コンピュータプログラム製品はコンピュータプログラムコードを含み、コンピュータプログラムコードがマスタ基地局によって実行されたとき、マスタ基地局は、第１の態様による方法を実施する。
【００８８】
第２１の態様によれば、本出願はコンピュータプログラム製品を提供する。コンピュータプログラム製品はコンピュータプログラムコードを含み、コンピュータプログラムコードがセカンダリ基地局によって実行されたとき、セカンダリ基地局は、第２の態様による方法を実施する。
【００８９】
第２２の態様によれば、本出願はコンピュータプログラム製品を提供する。コンピュータプログラム製品はコンピュータプログラムコードを含み、コンピュータプログラムコードがコアネットワークデバイスによって実行されたとき、コアネットワークデバイスは、第３の態様および／または第４の態様による方法を実施する。
【００９０】
第２３の態様によれば、本出願はコンピュータプログラム製品を提供する。コンピュータプログラム製品はコンピュータプログラムコードを含み、コンピュータプログラムコードが端末デバイスによって実行されたとき、端末デバイスは、第５の態様および／または第６の態様における端末デバイスの機能を実装する。
【図面の簡単な説明】
【００９１】
【図１】一実施形態に適用可能な通信システムの概略アーキテクチャ図である。
【図２】本出願による情報伝送方法の概略フローチャートである。
【図３】本出願による別の情報伝送方法の概略フローチャートである。
【図４】本出願によるさらに別の情報伝送方法の概略フローチャートである。
【図５】本出願によるさらに別の情報伝送方法の概略フローチャートである。
【図６】本出願によるマスタ基地局の可能な概略構造図である。
【図７】本出願によるマスタ基地局の別の可能な概略構造図である。
【図８】本出願によるセカンダリ基地局の可能な概略構造図である。
【図９】本出願によるセカンダリ基地局の別の可能な概略構造図である。
【図１０】本出願によるコアネットワークデバイスの可能な概略構造図である。
【図１１】本出願によるコアネットワークデバイスの別の可能な概略構造図である。
【図１２】本出願によるユーザ機器の可能な概略構造図である。
【図１３】本出願によるユーザ機器の別の可能な概略構造図である。
【発明を実施するための形態】
【００９２】
以下で、添付の図面を参照しながら、本出願の技術的解決策について説明する。
【００９３】
図１は、一実施形態に適用可能な通信システムを示す。図１に示されているように、通信システムは、コアネットワーク１１０、マスタ基地局１２０、セカンダリ基地局１３０、およびユーザ機器（user equipment、ＵＥ）１４０を含む。コアネットワーク１１０は、プロトコルデータユニット（protocol data unit、ＰＤＵ）セッションを使用することによってマスタ基地局１２０および／またはセカンダリ基地局１３０と別々に通信する。１つのＰＤＵセッションは、（図の矢印によって示されているように）複数のフローを含むことがある。異なるフローは、同じＱｏＳ要件を有し得るか、または異なるＱｏＳ要件を有し得る。コアネットワーク１１０は、マスタ基地局１２０および／またはセカンダリ基地局１３０にフローのＱｏＳ要件を提供し、マスタ基地局１２０および／またはセカンダリ基地局１３０は、フローからＤＲＢへのマッピングを完了する。対応して、１つのＤＲＢ中に含まれるフローは、同じＱｏＳ要件または同様のＱｏＳ要件を有する。
【００９４】
マスタ基地局１２０が伝送のためにセカンダリ基地局１３０にいくつかのフローを転送することを判定したとき、マスタ基地局１２０は、セカンダリ基地局１３０にフローの識別情報を送信することがあり、セカンダリ基地局１３０は、フローのＱｏＳ要件を満たすＤＲＢにフローをマッピングし、それにより、データに対してより改良されたＱｏＳ管理を実装し得る。
【００９５】
本出願では、ＵＥは、無線アクセスネットワークを使用することによって１つまたは複数のコアネットワークデバイスと通信することがある。ＵＥは、アクセス端末、端末デバイス、加入者ユニット、加入者局、移動局、モバイルコンソール、リモート局、リモート端末、モバイルデバイス、ユーザ端末、端末、ワイヤレス通信デバイス、ユーザエージェント、またはユーザ装置と呼ばれることがある。アクセス端末は、セルラーフォン、コードレスフォン、セッション開始プロトコル（session initiation protocol、ＳＩＰ）フォン、ワイヤレスローカルループ（wireless local loop、ＷＬＬ）局、携帯情報端末（personal digital assistant、ＰＤＡ）、ワイヤレス通信機能をもつハンドヘルドデバイス、コンピューティングデバイス、またはワイヤレスモデムに接続された別の処理デバイス、車載デバイス、ウェアラブルデバイス、および５Ｇシステム中のユーザ機器であり得る。５Ｇシステムは、たとえば、新無線（new radio、ＮＲ）システムおよび発展型ＬＴＥ（evolved LTE、ｅＬＴＥ）システムを含む。ｅＬＴＥシステムは、５Ｇシステムのコアネットワークに接続されたＬＴＥシステムであり、ｅＬＴＥシステムは、５Ｇシステムのコアネットワークの新しい特性をサポートする。
【００９６】
本出願では、マスタ基地局またはセカンダリ基地局は、符号分割多元アクセス（code division multiple access、ＣＤＭＡ）システム中の基地トランシーバ局（base transceiver station、ＢＴＳ）であり得るか、または広帯域符号分割多元接続（wideband code division multiple access、ＷＣＤＭＡ（登録商標））システム中のノードＢ（NodeB、ＮＢ）であり得るか、またはＬＴＥシステム中の発展型ノードＢ（evolutional node B、ｅＮＢ）であり得るか、またはＮＲシステム中のｇＮＢ（ｇＮＢ）であり得ることをさらに理解されたい。上記の基地局は説明の例にすぎない。マスタ基地局またはセカンダリ基地局は、代替として、中継局、アクセスポイント、車載デバイス、ウェアラブルデバイス、または別のタイプのデバイスであり得る。説明しやすいように、本出願では、ＵＥにワイヤレス通信機能を提供する装置は、基地局と総称される。
【００９７】
本出願では、コアネットワークデバイスは、次世代コアネットワーク（next generation core network、ＮＧＣ）のネットワーク要素であり得るか、または５Ｇコアネットワーク（5G core network、５Ｇ−ＣＮ）デバイスであり得るか、または別のコアネットワークデバイスであり得る。ＮＧＣネットワーク要素は、たとえば、制御プレーン（control plane、ＣＰ）ネットワーク要素およびユーザプレーン（user plane、ＵＰ）ネットワーク要素を含み得る。コアネットワークデバイスは本出願では限定されず、実施形態において説明される方法を実施することができるどのようなコアネットワークデバイスも本出願の保護範囲内に入る。加えて、本出願では、「コアネットワークデバイス」は、時々略して「コアネットワーク」と呼ばれる。
【００９８】
上記の通信システムは、説明のための例にすぎない。コアネットワークの量およびセカンダリ基地局の量は、図１に示されている量に限定されない。
【００９９】
図２は、一実施形態による情報伝送方法の概略図である。図２に示されているように、方法２００は以下のステップを含む。
【０１００】
Ｓ２０１．マスタ基地局がセカンダリ基地局に要求メッセージを送信し、要求メッセージが、フローの識別情報を含むか、または要求メッセージが、フローの識別情報、およびフローとＤＲＢとの間のマッピング関係を含む。
【０１０１】
Ｓ２０２．マスタ基地局が、要求メッセージに応答して、セカンダリ基地局から応答メッセージを受信する。
【０１０２】
この実施形態では、マスタ基地局がセカンダリ基地局に少なくとも１つのフローを転送することを判定したとき（説明しやすいように、セカンダリ基地局に転送することをマスタ基地局が要求する少なくとも１つのフローは「第１のフロー」と呼ばれる）、マスタ基地局はセカンダリ基地局に要求メッセージを送信する。たとえば、要求メッセージはセカンダリ基地局追加要求メッセージであることがあり、要求メッセージは、第１のフローを伝送するために使用されるリソースを第１のフローに割り振ることをセカンダリ基地局に要求するために使用される。たとえば、要求メッセージはシグナリングであり得るか、またはデータパケットであり得る。
【０１０３】
要求メッセージは第１のフローの識別情報を含み、第１のフローの識別情報は、第１のフローを識別するために使用される。セカンダリ基地局は、第１のフローの識別情報に基づいて第１のフローを判定する。セカンダリ基地局が第１のフローを承認（admit）した場合、セカンダリ基地局は、セカンダリ基地局がＤＲＢに第１のフローをマッピングし得るように、第１のフローとＤＲＢとの間のマッピング関係を判定し得る。
【０１０４】
代替として、第１のフローの識別情報に加えて、要求メッセージは、第１のフローとＤＲＢとの間であって、マスタ基地局によって判定されたマッピング関係をさらに含む。セカンダリ基地局は、第１のフローの識別情報に基づいて第１のフローを判定する。セカンダリ基地局が第１のフローを承認した場合、セカンダリ基地局は、第１のフローとＤＲＢとの間のマッピング関係に基づいてＤＲＢに第１のフローをマッピングする。
【０１０５】
本出願では、第１のフローが少なくとも２つのフローを含むとき、少なくとも２つのフローは、同じＰＤＵセッションに属し得るか、または異なるＰＤＵセッションに属し得る。加えて、セカンダリ基地局は、第１のフロー中のすべてのフローを承認し得るか、または第１のフロー中のいくつかのフローを承認し得る。セカンダリ基地局によって承認されたフローは、セカンダリ基地局によって正常に確立または変更されたフローを含む。特に、フローは、セカンダリ基地局によって正常に確立または変更された、対応するＤＲＢ構成のフローであり得る。
【０１０６】
この実施形態において提供される情報伝送方法によれば、マスタ基地局は、少なくとも１つのフローを示すために使用される識別情報をセカンダリ基地局に送信するか、またはマスタ基地局は、少なくとも１つのフローを示すために使用される識別情報、および少なくとも１つのフローとＤＲＢとの間のマッピング関係をセカンダリ基地局に送信し、セカンダリ基地局は、フローのＱｏＳ要件に基づいてフローを異なるＤＲＢにマッピングし、それにより、より小さい粒度をもつＱｏＳ管理を実装することができる。
【０１０７】
任意選択で、第１のフローの識別情報は、第１のフローのＱｏＳマークを含む。
【０１０８】
マスタ基地局は、第１のフローを識別するために第１のフローのＱｏＳマークを直接使用し得る。またはマスタ基地局は、第１のフローの識別情報にＱｏＳマークをマッピングしてよく、この場合、マスタ基地局は、ＱｏＳマークと第１のフローの識別情報との間のマッピング関係をセカンダリ基地局およびＵＥに通知する必要がさらにある。ＱｏＳマークが第１のフローの識別情報にマッピングされることは、次の通りであり得る。たとえば、受信されたＱｏＳマークのインデックスが順にソートされ、インデックス番号が、第１のフローの識別情報である。上記の方法は説明のための例にすぎない。この実施形態はそれに限定されない。第１のフローのＱｏＳマークに基づいて第１のフローを識別するためのどのような方法も本出願の保護範囲内に入る。
【０１０９】
この実施形態において提供される情報伝送方法によれば、マスタ基地局は、第１のフローの識別情報として第１のフローのＱｏＳマークを使用し、異なるフローは直接区別されることが可能であり、より小さい粒度をもつＱｏＳ管理が実装される。
【０１１０】
任意選択で、第１のフローの識別情報は、第１のフローが属するＰＤＵセッションの識別子を含む。
【０１１１】
たとえば、第１のフローが、異なるＰＤＵセッションに属する２つのフローを含み、それらの２つのフローが同じＱｏＳマークを有するとき、マスタ基地局は、フローの識別子、すなわち、第１のフローの識別情報に、それらの２つのフローが属するＰＤＵセッションの識別子を別々にマッピングするか、または第１のフローの識別情報として、それらの２つのフローが属するＰＤＵセッションの識別子を直接使用するか、または第１のフローの識別情報として、それらの２つのフローの各々のＱｏＳマークおよびそれらの２つのフローが属するＰＤＵセッションの識別子を使用するか、またはフローの識別子に、それらの２つのフローの各々のＱｏＳマークおよびフローが属するＰＤＵセッションの識別子をマッピングすることがあり、このマッピング事例では、マスタ基地局は、マッピング関係をセカンダリ基地局およびＵＥに通知する必要がある。上記の方法は説明のための例にすぎない。この実施形態はそれに限定されない。第１のフローが属するＰＤＵセッションの識別子に基づいて第１のフローを識別するためのどのような方法も本出願の保護範囲内に入る。
【０１１２】
したがって、この実施形態において提供される情報伝送方法によれば、マスタ基地局は、第１のフローの識別情報として、第１のフローが属するＰＤＵセッションの識別子を使用するか、または第１のフローの識別情報として、第１のフローのＱｏＳマークおよび第１のフローが属するＰＤＵセッションの識別子を使用して、異なるフローは直接区別されることが可能であり、より小さい粒度をもつＱｏＳ管理が実装される。
【０１１３】
任意選択で、要求メッセージは、第１のフローのＱｏＳ特性情報をさらに含む。
【０１１４】
ＱｏＳ特性情報は、ＱｏＳ特性についての少なくとも１つのグループを含む。ＱｏＳ特性についての１つのグループは、特定のＱｏＳ要件であり、ＱｏＳ要件は、たとえば、パケット損失レート、遅延、および優先度であり得る。各ＱｏＳマークは、ＱｏＳ特性についての１つのグループに対応する。
【０１１５】
この実施形態において提供される情報伝送方法によれば、マスタ基地局は、セカンダリ基地局に第１のフローのＱｏＳ特性情報を送信し、セカンダリ基地局は、第１のフローのＱｏＳ特性情報に基づいてＤＲＢについての第１のフローのＱｏＳ要件を判定することができる。
【０１１６】
任意選択で、要求メッセージは、セカンダリ基地局にとって利用可能なＤＲＢ識別子をさらに含む。
【０１１７】
この実施形態では、マスタ基地局は、第１のフローがマッピングされるＤＲＢを判定し、指示情報を使用することによって第１のフローとＤＲＢとの間のマッピング関係をセカンダリ基地局に示し得る。マスタ基地局は、第１のフローからＤＲＢへのマッピングを実施しなくてよいが、第１のフローがマッピングされることが可能であるＤＲＢ識別子をセカンダリ基地局に示し、セカンダリ基地局は、第１のフローからＤＲＢへのマッピングを実施する。たとえば、マスタ基地局は、第１のフローにとって利用可能なＤＲＢの識別子リストをセカンダリ基地局に送信することがあり、セカンダリ基地局は、使用されるべきＤＲＢの識別子を判定する。上記の方法は説明のための例にすぎない。この実施形態はそれに限定されない。
【０１１８】
したがって、この実施形態において提供される情報伝送方法によれば、マスタ基地局は、セカンダリ基地局に、セカンダリ基地局にとって利用可能なＤＲＢ識別子を送信する。セカンダリ基地局は、セカンダリ基地局にとって利用可能なＤＲＢ識別子に基づいてＤＲＢに第１のフローをマッピングして、マスタ基地局によってマッピングされたＤＲＢと、セカンダリ基地局によってマッピングされたＤＲＢとの間の競合を回避し、マスタ基地局の負荷を低減し得る。
【０１１９】
任意選択で、要求メッセージは、セカンダリ基地局にとって利用不可能なＤＲＢ識別子をさらに含む。
【０１２０】
マスタ基地局は、セカンダリ基地局に、セカンダリ基地局にとって利用不可能なＤＲＢ識別子を送信し得る。たとえば、マスタ基地局は、セカンダリ基地局に、第１のフローにとって利用不可能なＤＲＢの識別子リストを送信し得る。たとえば、マスタ基地局は、セカンダリ基地局に、マスタ基地局によって使用されるＤＲＢ識別子を示して、マスタ基地局によってマッピングされたＤＲＢと、セカンダリ基地局によってマッピングされたＤＲＢとの間の競合を回避し、マスタ基地局の負荷を低減し得る。
【０１２１】
上記の方法は説明のための例にすぎない。この実施形態はそれに限定されない。たとえば、マスタ基地局は、セカンダリ基地局に、第１のフローにとって利用可能なＤＲＢ識別子および第１のフローにとって利用不可能なＤＲＢ識別子をさらに送信し得る。これらの２つの識別子は、２つのリスト中でセカンダリ基地局に送信されることがあるか、または１つのリスト中でセカンダリ基地局に送信されることがあり、１つのリスト中の異なるタイプのＤＲＢの識別子は、識別子ビットを使用することによって区別され得る。
【０１２２】
要求メッセージ中に含まれる上記の情報は説明のための例にすぎず、この実施形態への限定として理解されるべきではない。要求メッセージは他の情報をさらに含み得る。たとえば、要求メッセージは、コアネットワークノード上で第１のフローが属するＰＤＵセッションのトンネルエンドポイント情報をさらに含み得る。トンネルエンドポイント情報は、汎用パケット無線サービストンネリングプロトコル（general packet radio service tunneling protocol、ＧＴＰ）トンネルエンドポイント識別子（ＧＴＰ−ＴＥＩＤ）およびトランスポートレイヤアドレスであり得るか、またはパワーオーバーイーサネット（登録商標）（power over Ethernet、ＰｏＥ）プロトコルに基づくトンネルエンドポイント情報であり得るか、または別のトランスポートレイヤプロトコルに基づくトンネルエンドポイント情報であり得る。これは、この実施形態では限定されない。
【０１２３】
Ｓ２０２において、マスタ基地局によって送られた要求メッセージを受信した後に、セカンダリ基地局は、構成を実施し、要求メッセージに応答して、マスタ基地局に応答メッセージを送信する（たとえば、応答メッセージは、セカンダリ基地局追加要求応答メッセージであり得る）。応答メッセージは、第１のフローに対してセカンダリ基地局によって実施された処理の結果を示すために使用される。たとえば、セカンダリ基地局が第１のフローを拒否することを判定したとき、応答メッセージは、第１のフローが拒否されたことを示すビットを含み得るか、または応答メッセージは、第１のフローに割り振られたリソースが０であることを示すために使用される指示情報を含み得る。セカンダリ基地局が第１のフローを承認することを判定したとき、応答メッセージは、セカンダリ基地局によって第１のフローに割り振られるリソースを示すために使用され得る。別の例では、応答メッセージは２つのリストを含む。一方のリストは、セカンダリ基地局によって承認されたフローに関する情報を含み、他方のリストは、セカンダリ基地局によって拒否されたフローに関する情報を含む。
【０１２４】
任意選択で、応答メッセージは、セカンダリ基地局によって承認されたフローの識別情報およびセカンダリ基地局によって承認されたフローに対応するトンネルエンドポイント情報を含む。
【０１２５】
セカンダリ基地局が第１のフローを承認することを判定したとき、セカンダリ基地局が第１のフロー中のいくつかのフローを承認する場合、応答メッセージは、第１のフロー中の承認されたフローの識別情報および承認されたフローに対応するトンネルエンドポイント情報を含む。任意選択で、セカンダリ基地局が第１のフロー中のすべてのフローを承認する場合、応答メッセージは、１ビットによって、セカンダリ基地局が第１のフロー中のすべてのフローを承認することを示し得るか、または第１のフロー中の承認されたフローの識別情報をマスタ基地局に送信し得る。
【０１２６】
したがって、マスタ基地局は、応答メッセージに基づいて、セカンダリ基地局にスプリットされることが可能なフローを判定し得る。
【０１２７】
任意選択で、応答メッセージは、セカンダリ基地局によって承認されないフローの識別情報を含む。
【０１２８】
セカンダリ基地局が第１のフロー中のいくつかのフローを承認する場合、応答メッセージは、第１のフロー中のセカンダリ基地局によって承認されないフローの識別情報を含むことがあり、マスタ基地局は、応答メッセージに基づいて、セカンダリ基地局にスプリットされることが可能であるフローを判定することができる。上記の方法は説明のための例にすぎない。この実施形態はそれに限定されない。たとえば、応答メッセージは、セカンダリ基地局によって承認されたフローのすべての識別情報、セカンダリ基地局によって承認されたフローに対応するトンネルエンドポイント情報、およびセカンダリ基地局によって拒否されたフローの識別情報を含み得る。
【０１２９】
応答メッセージ中に含まれる情報は説明のための例にすぎず、この実施形態への限定として理解されるべきではない。上記の応答メッセージは他の情報をさらに含み得る。
【０１３０】
たとえば、応答メッセージは、セカンダリ基地局上で第１のフローが属するＰＤＵセッションのトンネルエンドポイント情報をさらに含み得る。トンネルエンドポイント情報は、ＧＴＰ−ＴＥＩＤおよびトランスポートレイヤアドレスであり得るか、またはＰｏＥプロトコルに基づくトンネルエンドポイント情報であり得る、または別のトランスポートレイヤプロトコルに基づくトンネルエンドポイント情報であり得る。これは、この実施形態では限定されない。
【０１３１】
別の例では、セカンダリ基地局が第１のフローとＤＲＢとの間のマッピング関係を判定したとき、応答メッセージは、そのマッピング関係を示す指示情報をさらに含む。
【０１３２】
別の例では、マスタ基地局が第１のフローとＤＲＢとの間のマッピング関係を判定したとき、応答メッセージは、承認されたＤＲＢに関する情報および拒否されたＤＲＢに関する情報の少なくとも１つをさらに含む。ＤＲＢに関する情報は、ＤＲＢの識別子を含む。
【０１３３】
応答メッセージは、上記で説明されたすべての情報を含み得るか、または上記で説明された情報の一部のみを含み得る。
【０１３４】
任意選択で、本出願の実装では、方法２００は以下をさらに含む。
【０１３５】
Ｓ２０３．マスタ基地局が、コアネットワークデバイスに、セカンダリ基地局によって承認されたフローの識別情報およびセカンダリ基地局によって承認されたフローに対応するトンネルエンドポイント情報を送信する。
【０１３６】
代替として、方法２００は以下をさらに含む。Ｓ２０４．マスタ基地局が、コアネットワークデバイスに、マスタ基地局によって承認されたフローの識別情報、マスタ基地局によって承認されたフローに対応するトンネルエンドポイント情報、セカンダリ基地局によって承認されたフローの識別情報、およびセカンダリ基地局によって承認されたフローに対応するトンネルエンドポイント情報を送信する。
【０１３７】
この実施形態では、マスタ基地局は、コアネットワークデバイスに、基地局上のＰＤＵセッション中に含まれるフロー中の（マスタ基地局およびセカンダリ基地局を含む）基地局によって承認されたフローに対応するトンネルエンドポイント情報を送信する。基地局に対応するトンネルエンドポイント情報は、セッションセットアップ返答メッセージ中で搬送され得るか、またはセッション変更指示メッセージ中で搬送され得る。
【０１３８】
Ｓ２０３およびＳ２０４は２つの任意選択の実行ステップであること、言い換えれば、マスタ基地局はＳ２０３またはＳ２０４を実施し得ることが理解され得る。
【０１３９】
マスタ基地局に対応するトンネルエンドポイント情報とセカンダリ基地局に対応するトンネルエンドポイント情報の両方がセッションセットアップ返答メッセージ中で搬送されるとき、具体的には、Ｓ２０４が実施されることが可能であるシナリオでは、セッションセットアップ返答メッセージは、ＰＤＵセッションのセットアップステータスを示すために使用される。セッションセットアップ返答メッセージは、正常にセットアップされたＰＤＵセッションに関する情報および正常にセットアップされないＰＤＵセッションに関する情報の少なくとも１つを含む。たとえば、正常にセットアップされたＰＤＵセッションに関する情報は、ＰＤＵセッションの識別子、ＱｏＳマーク、ならびに（マスタ基地局およびセカンダリ基地局を含む）基地局上のＱｏＳマークによって識別されるフローのＧＴＰ−ＴＥＩＤおよびトランスポートレイヤアドレスを含む。任意選択で、セッションセットアップ返答メッセージは、基地局の識別子をさらに含む。任意選択で、セッションセットアップ返答メッセージは、セカンダリ基地局によって承認されたフローの識別情報およびセカンダリ基地局によって承認されたフローに対応するトンネルエンドポイント情報のみを含み得る。
【０１４０】
セカンダリ基地局に対応するトンネルエンドポイント情報がセッション変更指示メッセージ中で搬送されるとき、具体的には、Ｓ２０３が実施されることが可能であるシナリオでは、セッション変更指示メッセージは、第１のフロー中のセカンダリ基地局によって承認されたフローをセカンダリ基地局に移動させるようにコアネットワークデバイスに命令するために使用される。たとえば、セッション変更指示メッセージは、ＱｏＳマーク、ならびにセカンダリ基地局上のＱｏＳマークによって識別されるフローのＧＴＰ−ＴＥＩＤおよびトランスポートレイヤアドレスを含む。任意選択で、セッション変更指示メッセージは、ＱｏＳマークによって識別されるフローが属するＰＤＵセッションの識別子をさらに含み得る。ＰＤＵセッション全体がセカンダリ基地局に移動させられる場合、セッション変更指示メッセージは、ＰＤＵセッションの識別子、ならびにセカンダリ基地局上のＰＤＵセッションのＧＴＰ−ＴＥＩＤおよびトランスポートレイヤアドレスのみを含み得る。
【０１４１】
この実施形態において提供される情報伝送方法によれば、基地局は、セカンダリ基地局上のＰＤＵセッション中に含まれるフローに対応するトンネルエンドポイント情報をコアネットワークデバイスに送信するか、または基地局は、マスタ基地局上のＰＤＵセッション中に含まれるフローに対応するトンネルエンドポイント情報およびセカンダリ基地局上のＰＤＵセッション中に含まれるフローに対応するトンネルエンドポイント情報をコアネットワークデバイスに送信し、ベアラは、フロー情報に基づいて作成および転送されることが可能である。
【０１４２】
任意選択で、本出願の実装では、方法２００は以下をさらに含む。
【０１４３】
Ｓ２０５．マスタ基地局が、ＵＥにＤＲＢ構成情報を送信し、ＤＲＢ構成情報が、ＤＲＢ識別子およびＤＲＢに対応するフローの識別情報を含む。
【０１４４】
ＤＲＢ構成情報は、マスタ基地局およびセカンダリ基地局にそれぞれ対応するＤＲＢの各々に対応するフローの識別情報を含み、具体的には、ＤＲＢ構成情報は、マスタ基地局上で確立されるべきＤＲＢおよびセカンダリ基地局上で確立されるべきＤＲＢを示す。
【０１４５】
セカンダリ基地局から応答メッセージを受信した後に、またはコアネットワークにセッションセットアップ返答メッセージもしくはセッション変更指示メッセージを送信した後に、マスタ基地局は、ＵＥに無線リソース制御（radio resource control、ＲＲＣ）接続再構成メッセージを送信する。ＲＲＣ接続再構成メッセージは、上記のＤＲＢ構成情報を含む。
【０１４６】
この実施形態において提供される情報伝送方法によれば、ＵＥは、ＤＲＢ構成情報に基づいてマスタ基地局およびセカンダリ基地局のうちの少なくとも１つからデータ（すなわち、フロー）を受信することがあり、ベアラは、フロー情報に基づいて作成および転送されることが可能である。
【０１４７】
任意選択で、マスタ基地局がセカンダリ基地局に要求メッセージを送信する前に、方法２００は以下をさらに含む。
【０１４８】
Ｓ２０６．マスタ基地局が、ユーザ機器からフロー識別子を受信する。
【０１４９】
Ｓ２０７．マスタ基地局が、フロー識別子に基づいて、フロー識別子によって示されるフローのためのベアラを確立する。
【０１５０】
フロー識別子はフローを示すために使用され、フロー識別子の特定の形態は、本出願では限定されない。ＵＥがアップロードされるべきデータを有し、フローとＤＲＢとの間のマッピング関係を判定することができないとき、ＵＥは、（マスタ基地局またはセカンダリ基地局を含む）基地局に、データに対応するフロー識別子を送信し、フローからフロー識別子によって示されるフローのためのＤＲＢへのマッピングを実施するように基地局に要求し得る。どのようにユーザ機器がデータに対応するフロー識別子を判定するかは、本出願では限定されない。
【０１５１】
任意選択の実装では、フロー識別子はＲＲＣ要求メッセージ中で搬送され得る。ＲＲＣ要求メッセージを受信した後に、基地局は、フロー識別子に対応するベアラの確立処理をトリガする。ベアラは、マスタ基地局上でのみ確立されるベアラであり得るか、またはセカンダリ基地局上でのみ確立されるベアラであり得るか、またはマスタ基地局とセカンダリ基地局の両方の上で確立されるスプリットベアラ（split bearer）であり得る。
【０１５２】
別の任意選択の実装では、フロー識別子は、アップリンクデータとともに基地局に送信され得る。基地局は、基地局中のプリセットコマンドに基づいて、フロー識別子に対応するベアラの確立処理をトリガする。ベアラは、マスタ基地局上のベアラであり得るか、またはセカンダリ基地局上のベアラであり得るか、またはスプリットベアラであり得る。
【０１５３】
基地局がＵＥのためのベアラを確立することを判定したとき、基地局は、Ｓ２０１およびＳ２０２の上記の処理、ならびに本出願においてＵＥのためのベアラを確立するために使用される別の処理を実施し得る。詳細についてここで再び説明されない。
【０１５４】
この実施形態において提供される情報伝送方法によれば、基地局は、ＵＥから受信されたフロー識別子に基づいて、フロー識別子によって示されるフローのためのベアラを確立し、ベアラは、フロー情報に基づいて作成および転送されることが可能であり、情報伝送のＱｏＳ管理についての５Ｇ通信システムの要件が満たされることが可能である。
【０１５５】
本出願において提供される情報伝送方法について、上記の実施形態では、基地局、コアネットワーク、および端末デバイスの観点から別々に説明された。以下で、上記で説明された実施形態の共通の態様に基づいて実施形態について詳細にさらに説明する。
【０１５６】
図３は、一実施形態による別の情報伝送方法の概略フローチャートである。図３に示されているように、本方法は以下のステップを含む。
【０１５７】
Ｓ３０１．ＮＧＣが、マスタ基地局にセッションセットアップ要求メッセージを送信し、セッションセットアップ要求メッセージが、少なくとも１つのＰＤＵセッション情報を搬送する。特に、ＰＤＵセッション情報は、ＰＤＵセッションの識別子、ＧＴＰ−ＴＥＩＤ、トランスポートレイヤアドレス、およびＮＡＳレベルＱｏＳ記述を含み、ＮＡＳレベルＱｏＳ記述は、ＱｏＳ特性およびＱｏＳマークを含む。ＧＴＰトンネルエンドポイント識別子およびトランスポートレイヤアドレスは、次世代（NextGen、ＮＧ）インターフェース上のコアネットワークノードにおいてＰＤＵセッションのエンドポイントを識別するために使用される。この場合、セッションセットアップ要求メッセージ中に含まれる情報要素は、表１に示されていることがあるか、または別の形態であり得る。これは、本出願では限定されない。
【０１５８】
【表１】
0006923655.tif 000002
【０１５９】
表１において、「セットアップされるべきＰＤＵセッションリスト」は「セットアップされるべきであるＰＤＵセッションのリスト」を示し、「セットアップされるべきＰＤＵセッション項目ＩＥ」は「セットアップされるべきであるＰＤＵセッションのリスト中に含まれる情報要素」を示し、ＩＥは情報要素（information element）の省略であり、「ＰＤＵセッションＩＤ」は「ＰＤＵセッションの識別子」を示し、ＩＤは識別（identification）の省略であり、「トランスポートレイヤアドレス」は「トランスポートレイヤプロトコル」を示し、「ＧＴＰ−ＴＥＩＤ」は「ＧＴＰトンネルエンドポイント識別子」を示し、「ＮＡＳレベルＱｏＳプロファイル項目ＩＥ」は「ＮＡＳレベルＱｏＳ記述中に含まれる情報要素」を示し、「ＱｏＳ特性」は「ＱｏＳ特性」を示し、「ＱｏＳマーキング」は「ＱｏＳマーク」を示す。
【０１６０】
表１において、ＮＡＳレベルＱｏＳ記述は、ＱｏＳ制御のために使用され、同じＱｏＳマークでマークされたデータパケットは、同じＱｏＳ要件を有する。基地局について、異なるＱｏＳマークは異なるフローを識別する。加えて、１つのＰＤＵセッションは複数のフローを含むことがあり、１つのＰＤＵセッションセットアップ処理中に少なくとも１つのＰＤＵセッションがセットアップされ得る。
【０１６１】
Ｓ３０２．セッションセットアップ要求メッセージを受信した後に、マスタ基地局が、伝送のためにセカンダリ基地局に、セッションセットアップ要求メッセージに対応する一部または全部のフローを転送することを判定する（具体的には、マスタ基地局がスプリット決定を行う）。任意選択で、マスタ基地局は、フローの識別子にＱｏＳマークをマッピングし得る。代替として、マスタ基地局は、フローを識別するためにＱｏＳマークを直接使用することがあり、この場合、フローの識別子はＱｏＳマークである。本出願では、フローを示すために「フローの識別子」と「フローの識別情報」の両方が使用されるとき、これらの２つは互換的に使用され得ることを理解されたい。
【０１６２】
ＱｏＳマークがＰＤＵセッション間で一意でない場合、具体的には、ＰＤＵセッションが同じＱｏＳマークを有し得る場合、フローのＱｏＳマークおよびフローが属するＰＤＵセッションのＰＤＵセッション識別子は、フローの識別子にマッピングされ得る。代替として、フローを識別するために、フローのＱｏＳマークおよびフローが属するＰＤＵセッションのＰＤＵセッション識別子が使用され、この場合、フローの識別子は、ＱｏＳ識別子およびＰＤＵセッション識別子である。本出願では、フローの識別子は、上記の場合のいずれか１つであり得る。
【０１６３】
Ｓ３０３．マスタ基地局が、セカンダリ基地局にセカンダリ基地局追加要求メッセージを送信し、メッセージが、少なくとも１つのフロー情報を搬送し、フロー情報が、フローのＱｏＳマーク、フローのＱｏＳ特性、コアネットワークノード上でフローが属するＰＤＵセッションのＧＴＰトンネル識別子およびトランスポートレイヤアドレスを含むことがあり、任意選択で、ＰＤＵセッションの識別子をさらに含み得る。この場合、特定の情報要素設計は、表２および表３に記述されていることがあるか、または別の形態であり得る。これは、本出願では限定されない。
【０１６４】
【表２】
0006923655.tif 000003
【０１６５】
【表３】
0006923655.tif 000004
【０１６６】
表２において、「スプリットされるべきＰＤＵセッションリスト」は「スプリットされたフローが属するＰＤＵセッションのリスト」を示し、「スプリットされるべきＰＤＵセッション項目ＩＥ」は「スプリットされたフローが属するＰＤＵセッションのリスト中に含まれる情報要素」を示す。残りの情報要素の意味は表１に示されている。詳細についてここで再び説明されない。
【０１６７】
表３において、「スプリットされるべきフローリスト」は「スプリットされるべきフローのリスト」を示し、「スプリットされるべきフロー項目ＩＥ」は「スプリットされるべきフローのリスト中に含まれる情報要素」を示す。残りの情報要素の意味は表１および表２に示されている。詳細についてここで再び説明されない。
【０１６８】
マスタ基地局がフローからＤＲＢへのマッピングを実施した場合、ＤＲＢとフローとの間のマッピング関係はまた、メッセージ中で搬送される。この場合、少なくとも１つのフローが、１つのＤＲＢにマッピングされることがあり、少なくとも１つのフローは、同じＰＤＵセッションに属し得るか、または異なるＰＤＵセッションに属し得る。この場合、情報要素設計は、表４から表６に示されていることがあるか、または別の形態であり得る。これは、本出願では限定されない。ＰＤＵセッション識別子は任意選択である。
【０１６９】
【表４】
0006923655.tif 000005
【０１７０】
【表５】
0006923655.tif 000006
【０１７１】
【表６】
0006923655.tif 000007
【０１７２】
表４において、「スプリットされるべきＤＲＢリスト」は「スプリットされたフローに対応するＤＲＢのリスト」を示し、「スプリットされるべきＤＲＢ項目ＩＥ」は「スプリットされたフローに対応するＤＲＢのリスト中に含まれる情報要素」を示す。「ＤＲＢ  ＩＤ」は「ＤＲＢ識別子」を示し、残りの情報要素の意味は表１から表３に示されている。詳細についてここで再び説明されない。
【０１７３】
表５において、情報要素の意味は表１から表４に示されている。詳細についてここで再び説明されない。
【０１７４】
表６において、「トンネルエンドポイント項目ＩＥ」は「トンネルエンドポイント中に含まれる情報要素」を示し、残りの情報要素の意味は表１から表５に示されている。詳細についてここで再び説明されない。
【０１７５】
マスタ基地局は、フローから、セカンダリ基地局にスプリットされるべきフローのためのＤＲＢへのマッピングを実施しないが、セカンダリ基地局はマッピングを実施する場合、この場合、ＤＲＢにおいて競合が起こるのを回避するために、マスタ基地局はセカンダリ基地局に指示を送信する必要がある。指示は、セカンダリ基地局のために構成されることが可能であるＤＲＢ識別子を示すために使用される。任意選択で、指示情報は、マスタ基地局側上に構成されたＤＲＢの識別子リストであり得るか、またはマスタ基地局によってセカンダリ基地局に割り振られた利用可能なＤＲＢの識別子リストであり得るか、またはＤＲＢの別の識別子リストであり得る。これは、本出願では限定されない。
【０１７６】
Ｓ３０４．マスタ基地局から要求を受信した後に、セカンダリ基地局が、構成を実施し、マスタ基地局にセカンダリ基地局要求返答メッセージを返す。マスタ基地局が、要求メッセージに、フローに対応するＤＲＢ識別子を追加しない場合、セカンダリ基地局要求返答メッセージは、承認されスプリットされたフローのフロー情報を搬送し、拒否されたフローに関する情報をさらに搬送し得る。特に、セカンダリ基地局によって承認されたスプリットされたフローのフロー情報は、少なくとも、フローの識別子、ならびにセカンダリ基地局上でフローが位置するＰＤＵセッションのＧＴＰトンネル識別子およびトランスポートレイヤアドレスを含む。任意選択で、メッセージは、ＰＤＵセッションの識別子をさらに含み得る。フローとＤＲＢとの間のマッピング関係はセカンダリ基地局によって判定され、フローとＤＲＢとの間のマッピング関係はまた、メッセージ中で搬送され得る。セカンダリ基地局によって拒否されたフローに関する情報は、少なくともフローの識別子を含む。
【０１７７】
マスタ基地局がフローとＤＲＢとの間のマッピング関係を要求メッセージに追加する場合、セカンダリ基地局は、承認されスプリットされたフローに対応するＤＲＢに関する情報をメッセージに追加し、拒否されたＤＲＢに関する情報をメッセージにさらに追加し得る。特に、セカンダリ基地局によって承認されたスプリットされたフローに対応するＤＲＢに関する情報は、ＤＲＢの識別子を含み得る。ＤＲＢ中のフローがただ１つのＰＤＵセッションに属する場合、ＤＲＢに関する情報は、セカンダリ基地局上でＤＲＢ中のフローが属するＰＤＵセッションのＧＴＰトンネル識別子およびトランスポートレイヤアドレスをさらに含む。ＤＲＢ中のフローが異なるＰＤＵセッションに属する場合、ＤＲＢに関する情報は、フローの識別子、ならびにセカンダリ基地局上でフローが位置するＰＤＵセッションのＧＴＰトンネル識別子およびトランスポートレイヤアドレスをさらに含む。セカンダリ基地局によって拒否されたＤＲＢに関する情報は、少なくともＤＲＢ  ＩＤを含む。セカンダリ基地局は、ＤＲＢ中のいくつかのフローのみを承認することがあり、この場合、拒否されたＤＲＢに関する情報は、拒否されたフローの識別子をさらに含む。任意選択で、２つのリストのフロー情報は、ＰＤＵセッションの識別子をさらに含み得る。
【０１７８】
Ｓ３０５．マスタ基地局が、ＮＧＣにセッションセットアップ返答メッセージを送信し、メッセージが、正常にセットアップされたＰＤＵセッションに関する情報を搬送し、正常にセットアップされないＰＤＵセッションに関する情報をさらに搬送し得る。特に、正常にセットアップされたＰＤＵセッションに関する情報は、ＰＤＵセッションの識別子、ＱｏＳマーク、ならびに基地局上でＱｏＳマークによって識別されるフローを搬送するＰＤＵセッションのＧＴＰトンネル識別子およびトランスポートレイヤアドレスを含む。基地局は、マスタ基地局であり得るか、またはセカンダリ基地局であり得る。任意選択で、正常にセットアップされたＰＤＵセッションに関する情報は、基地局の識別子をさらに含み得る。この場合、情報要素設計は、表７に示されていることがあるか、または別の形態であり得る。これは、本出願では限定されない。
【０１７９】
【表７】
0006923655.tif 000008
【０１８０】
表７において、「ＰＤＵセッションセットアップリスト」は「セットアップされるＰＤＵセッションのリスト」を示し、「ＰＤＵセッションセットアップ項目ＩＥ」は、「セットアップされるＰＤＵセッションのリスト中に含まれる情報要素」を示し、残りの情報要素の意味は表１から表６に示されている。詳細についてここで再び説明されない。
【０１８１】
この場合、１つのＰＤＵセッションについて、コアネットワーク側は、複数の基地局側のＧＴＰトンネル識別子およびトランスポートレイヤアドレスを維持する必要があり得る。
【０１８２】
正常にセットアップされないＰＤＵセッションに関する情報は、正常にセットアップされないＰＤＵセッションの識別子を含む。この場合、ＰＤＵセッション中で、いくつかのフローは、マスタ基地局またはセカンダリ基地局によって正常に承認されることがあり、いくつかの他のフローは承認されない。この場合、正常にセットアップされないＰＤＵセッションは、承認されない特定のフローの識別子を搬送する必要がさらにある。フローのいずれも承認されないＰＤＵセッションについて、フロー識別子を搬送する必要はない。
【０１８３】
Ｓ３０６．マスタ基地局が、ＵＥにＲＲＣ接続再構成メッセージを送信する。ＲＲＣ接続再構成メッセージは、マスタ基地局上のＤＲＢ構成情報およびセカンダリ基地局上のＤＲＢ構成情報を搬送する。特に、ＤＲＢ構成情報は、マスタ基地局上で確立されるべきＤＲＢおよびセカンダリ基地局上で確立されるべきＤＲＢをＵＥに示すために使用され、構成情報は、各ＤＲＢに対応するフローの識別子および各ＤＲＢに対応するフローが属するＰＤＵセッションの識別子のうちの少なくとも１つを含む。この場合、フローの識別子がＱｏＳマークでない場合、フローの識別子とＱｏＳマークとの間のマッピング関係がＵＥに通知される必要があることに留意されたい。Ｓ３０６とＳ３０５との間に順番はない。
【０１８４】
Ｓ３０７．ＲＲＣ接続再構成メッセージ中の構成を完了した後に、ＵＥが、マスタ基地局にＲＲＣ接続再構成完了メッセージを送信し、メッセージが、対応する構成をＵＥが完了したことをマスタ基地局に示すために使用される。
【０１８５】
Ｓ３０８．マスタ基地局が、セカンダリ基地局にセカンダリ基地局再構成完了メッセージを送信し、メッセージが、対応する構成をＵＥが完了したことをセカンダリ基地局に示すために使用される。
【０１８６】
Ｓ３０９．ＵＥおよびセカンダリ基地局が、ランダムアクセスを実施する。Ｓ３０９とＳ３０７との間に順番はない。
【０１８７】
この実施形態において提供される情報伝送方法によれば、コアネットワークにおいてＰＤＵセッションセットアップを開始したとき、マスタ基地局は、一部または全部のフローをセカンダリ基地局にスプリットすることを決定し、セカンダリ基地局にフローの識別情報を送信し、セカンダリ基地局は、フローの識別情報に基づいてフローのＱｏＳ要件を判定し、フローのＱｏＳ要件を満たすＤＲＢにフローをマッピングし、それにより、データに対してより改良されたＱｏＳ管理を実装することができる。
【０１８８】
図４は、一実施形態によるさらに別の情報伝送方法の概略フローチャートである。図４に示されているように、本方法は以下のステップを含む。
【０１８９】
Ｓ４０１．マスタ基地局が、負荷ステータスなどに基づいて、一部または全部のフローをセカンダリ基地局に転送することを決定する。
【０１９０】
Ｓ４０２．マスタ基地局が、セカンダリ基地局にセカンダリ基地局追加要求メッセージを送信し、メッセージが、ＤＲＢとフローとの間の対応の少なくとも１つのグループ、およびフローに関する情報を搬送する。特に、対応は、１つのＤＲＢ  ＩＤが少なくとも１つのフロー識別子に対応するというものであり得る。フローに関する情報は、コアネットワークノード上でフローが属するＰＤＵセッションのＧＴＰトンネル識別子およびトランスポートレイヤアドレスを含む。任意選択で、フローに関する情報は、フローのＱｏＳ特性および／またはフローが属するＰＤＵセッションの識別子をさらに含み得る。
【０１９１】
Ｓ４０３．セカンダリ基地局が、マスタ基地局にセカンダリ基地局追加要求返答メッセージを送信する。メッセージは、承認されスプリットされたフローに対応するＤＲＢに関する情報を搬送し、拒否されたＤＲＢに関する情報をさらに搬送し得る。特に、セカンダリ基地局によって承認されたスプリットされたフローに対応するＤＲＢに関する情報は、ＤＲＢの識別子を含み得る。ＤＲＢ中のフローがただ１つのＰＤＵセッションに属する場合、ＤＲＢに関する情報は、セカンダリ基地局上でＤＲＢ中のフローが属するＰＤＵセッションのＧＴＰトンネル識別子およびトランスポートレイヤアドレスをさらに含む。ＤＲＢ中のフローが異なるＰＤＵセッションに属する場合、ＤＲＢに関する情報は、フローの識別子、ならびにセカンダリ基地局上でフローが位置するＰＤＵセッションのＧＴＰトンネル識別子およびトランスポートレイヤアドレスをさらに含む。セカンダリ基地局によって拒否されたＤＲＢに関する情報は、少なくともＤＲＢ  ＩＤを含む。セカンダリ基地局は、ＤＲＢ中のいくつかのフローのみを承認することがあり、この場合、拒否されたＤＲＢに関する情報は、拒否されたフローの識別子をさらに含む。任意選択で、２つのリストのフロー情報は、ＰＤＵセッションの識別子をさらに含み得る。
【０１９２】
Ｓ４０４．マスタ基地局が、ＵＥにＲＲＣ接続再構成メッセージを送信する。メッセージは、マスタ基地局からセカンダリ基地局にスプリットされたフローのＤＲＢ構成情報を搬送する。任意選択で、構成情報は、ＤＲＢに対応するフローの識別子をさらに示す。
【０１９３】
Ｓ４０５．ＲＲＣ接続再構成メッセージ中の構成を完了した後に、ＵＥが、マスタ基地局にＲＲＣ接続再構成完了メッセージを送信し、メッセージが、対応する構成をＵＥが完了したことをマスタ基地局に示すために使用される。
【０１９４】
Ｓ４０６．マスタ基地局が、セカンダリ基地局にセカンダリ基地局再構成完了メッセージを送信し、メッセージが、対応する構成をＵＥが完了したことをセカンダリ基地局に示すために使用される。
【０１９５】
Ｓ４０７．ＵＥおよびセカンダリ基地局がランダムアクセスを実施する。Ｓ４０７とＳ４０５との間に順番はない。
【０１９６】
Ｓ４０８．マスタ基地局が、セカンダリ基地局にシーケンス番号（sequence number、ＳＮ）ステータス転送メッセージを送信する。ＤＲＢが構成された場合、マスタ基地局は、セカンダリ基地局にＤＲＢの対応する伝送ステータスを送信する必要がある。ＳＮステータス転送メッセージ中に書き込まれるＳＮ番号は、パケットデータコンバージェンスプロトコル（packet data convergence protocol、ＰＤＣＰ）のシーケンス番号および／またはフローのシーケンス番号であり得る。
【０１９７】
Ｓ４０９．マスタ基地局がデータフォワーディングを実施する。この場合、各ＰＤＵセッションが、マスタ基地局とセカンダリ基地局との間の１つのトンネルに対応する場合、フロー識別子は、データフォワーディング中にＧＴＰフィールドのヘッダに追加される必要がある。図４の破線矢印は、Ｓ４０９が任意選択のステップであることを示す。
【０１９８】
Ｓ４１０．マスタ基地局が、コアネットワークにセッション変更指示メッセージを送信する。メッセージは、対応するフローをセカンダリ基地局に転送するようにＮＧＣに命令するために使用される。メッセージは、ＱｏＳマーク、ならびにセカンダリ基地局上でＱｏＳマークによって識別されるフローを搬送するＰＤＵセッションのＧＴＰトンネル識別子およびトランスポートレイヤアドレスを搬送する。任意選択で、メッセージは、フローが属するＰＤＵセッションの識別子をさらに含み得る。
【０１９９】
ＰＤＵセッション全体がセカンダリ基地局に転送される場合、この場合、メッセージは、ＰＤＵセッションの識別子、ならびにセカンダリ基地局上のＰＤＵセッションのＧＴＰトンネル識別子およびトランスポートレイヤアドレスのみを搬送し得る。Ｓ４１０とＳ４０５との間に順番はない。
【０２００】
Ｓ４１１．コアネットワークが、マスタ基地局にセッション変更確認メッセージを送信する。セッション変更確認メッセージは、変更を確認するためにマスタ基地局によって使用される。Ｓ４１１は任意選択のステップである。
【０２０１】
この場合、コアネットワークは、マスタ基地局またはセカンダリ基地局のためのコアネットワークノード上の対応するＰＤＵセッションのＧＴＰトンネル識別子およびトランスポートレイヤアドレスを変更し得ることに留意されたい。変更がマスタ基地局のために実施された場合、変更されたＧＴＰトンネル識別子およびトランスポートレイヤアドレスは、セッション変更確認メッセージを使用することによってマスタ基地局に通知され得る。変更がセカンダリ基地局のために実施された場合、指示メッセージがセカンダリ基地局にさらに送られる必要があり、コアネットワークノード上の対応するＰＤＵセッションの変更されたＧＴＰトンネル識別子およびトランスポートレイヤアドレスはセカンダリ基地局に通知される。この場合、Ｓ４０２におけるメッセージは、コアネットワークノード上のＰＤＵセッションのＧＴＰトンネル識別子およびトランスポートレイヤアドレスを搬送しないことがある。
【０２０２】
この実施形態において提供される情報伝送方法によれば、コアネットワークおよびマスタ基地局がＰＤＵセッションをセットアップした後に、マスタ基地局は、一部または全部のフローをセカンダリ基地局にスプリットすることを決定し、セカンダリ基地局にフローの識別情報を送信し、セカンダリ基地局は、フローのＱｏＳ要件を満たすＤＲＢにフローをマッピングし、それにより、データに対してより改良されたＱｏＳ管理を実装することができる。
【０２０３】
図５は、一実施形態によるさらに別の情報伝送方法の概略フローチャートである。図５に示されているように、方法５００は以下のステップを含む。
【０２０４】
Ｓ５０１．ＵＥが、第１のデータの識別情報に基づいて第１のＤＲＢを判定する。
【０２０５】
Ｓ５０２．ＵＥが、第１のＤＲＢを使用することによって第１のデータを送信する。
【０２０６】
この実施形態では、第１のデータはアップリンクデータであり、第１のデータの識別情報は、第１のデータのフロー識別子（たとえば、ＱｏＳマーク）および第１のデータが属するＰＤＵセッションの識別子の情報の少なくとも１つを含み、ＵＥは、第１のデータの識別情報に基づいて、識別情報に対応するＤＲＢ、すなわち、第１のＤＲＢを判定する。第１のＤＲＢは、マスタ基地局によって搬送されるＤＲＢであり得るか、またはセカンダリ基地局によって搬送されるＤＲＢであり得る。第１のデータの識別情報とＤＲＢとの間の対応は、ＵＥにおいて事前構成された情報であり得るか、またはダウンリンクデータ中のフローのＱｏＳマークとＤＲＢとの間の対応に基づいてＵＥによって判定された情報であり得るか、または別の方式でＵＥによって判定された情報であり得る。
【０２０７】
したがって、この実施形態において提供される情報伝送方法によれば、ＵＥは、アップリンクデータのフロー識別子およびＰＤＵセッションの識別子に基づいて、アップリンクデータのＱｏＳ要件に一致するＤＲＢを判定することがあり、ベアラは、フロー情報に基づいて作成および転送されることが可能である。
【０２０８】
任意選択で、ＵＥが、第１のデータの識別情報に基づいて第１のＤＲＢを判定することは、以下を含む。
【０２０９】
Ｓ５０３．ＵＥが、ＰＤＵセッションの識別子に対応するデフォルトベアラが第１のＤＲＢであると判定し、第１のデータの識別情報がＰＤＵセッションの識別子を含む。
【０２１０】
この実施形態において提供される情報伝送方法によれば、デフォルトベアラはマスタ基地局上にあり得るか、またはセカンダリ基地局上にあり得る。ＵＥは、別のネットワーク要素と情報を交換することなしにアップリンクデータのＱｏＳ要件に一致するＤＲＢを判定することがあり、シグナリングオーバーヘッドが低減されることが可能である。
【０２１１】
デフォルトベアラを使用することによってアップリンクデータを送信するとき、ＵＥは、アップリンクデータに対応するフロー識別子を基地局に送信する。デフォルトベアラを使用することによってＵＥによって送られたアップリンクデータを受信した後に、基地局は、フローから、ＵＥによって以後に送られるアップリンクデータのためのＤＲＢへのマッピングを実施し、以後に送られるフローとＤＲＢとの間のマッピング関係をＵＥに通知し得る。ＤＲＢは、上記のデフォルトベアラであり得るか、または新しいベアラであり得る。
【０２１２】
任意選択で、ＵＥが、第１のデータの識別情報に基づいて第１のＤＲＢを判定することは、以下を含む。
【０２１３】
Ｓ５０４．ＵＥが、基地局に第１の要求メッセージを送信し、第１の要求メッセージが、第１のデータの識別情報を含み、第１の要求メッセージが、第１のデータのためのＤＲＢマッピングを実施することを基地局に要求するために使用される。
【０２１４】
第１のデータのためのＤＲＢマッピングを実施することは、デフォルトベアラとは別のＤＲＢに第１のデータをマッピングすることを含む。この別のＤＲＢは、既存のＤＲＢであり得るか、または新たに作成されたＤＲＢであり得る。この別のＤＲＢは、マスタ基地局上のＤＲＢであり得るか、またはセカンダリ基地局上のＤＲＢであり得る。
【０２１５】
Ｓ５０５．ＵＥが、基地局から返答メッセージを受信し、返答メッセージが、第１のデータと第１のＤＲＢとの間のマッピング関係を含む。
【０２１６】
この実施形態において提供される情報伝送方法によれば、ＵＥは、基地局（マスタ基地局またはセカンダリ基地局）に第１の要求メッセージを送信することがあり、第１の要求メッセージは、ＱｏＳマークおよびＰＤＵセッションの識別子の情報の少なくとも１つを含み、第１の要求メッセージは、ＱｏＳマークによって示されるデータとＰＤＵセッションの識別子のためのＤＲＢマッピングを実施することを基地局に要求するために使用される。したがって、ＵＥは、アップリンクデータのＱｏＳ要件に一致するＤＲＢを判定することがあり、ベアラは、フロー情報に基づいて作成または転送されることが可能である。
【０２１７】
任意選択で、方法５００は以下をさらに含む。
【０２１８】
Ｓ５０６．ＵＥが、上位レイヤ情報および非アクセス層（non-access stratum、ＮＡＳ）情報に基づいて第１のデータの識別情報を判定する。
【０２１９】
上位レイヤは、ＵＥのアプリケーションレイヤ、たとえば、ＵＥ上で動作しているアプリケーションプログラムである。ＵＥのアクセス層（Access Stratum、ＡＳ）は、上位レイヤまたはＮＡＳからの情報に基づいて第１のデータの識別情報を判定し得る。第１のデータの識別情報は、第１のデータに対応するＰＤＵセッションの識別子および第１のデータのフロー識別子（たとえば、ＱｏＳマーク）を含む。ＵＥのＡＳは、上位レイヤからＰＤＵセッションの識別子を受信し、ＵＥのＡＳは、ＮＡＳから第１のデータのフロー識別子を受信する。
【０２２０】
特に、ＵＥのＮＡＳは、パケットフィルタに基づいてデータのＱｏＳマークを判定し得る。パケットフィルタはポリシーであり、複数の特性を含むデータから、特定のルールを満たすデータ、すなわち、フローを判定するために使用される。
【０２２１】
ＵＥのＡＳは、第１のデータの識別情報に基づいてＤＲＢを判定する。第１のデータの識別情報が、対応するＤＲＢを有しない場合、ＵＥのＡＳは、ＰＤＵセッションの識別子に基づいてデフォルトベアラを判定し、デフォルトベアラを使用することによって第１のフローを送信する。
【０２２２】
したがって、この実施形態において提供される情報伝送方法によれば、ＵＥのＡＳは、上位レイヤ情報およびＮＡＳ情報に基づいてアップリンクデータの識別情報を判定して、アップリンクデータの識別情報に基づいて、アップリンクデータを送信するためのＤＲＢを判定する。
【０２２３】
本実施形態において提供される解決策は、上記ではネットワーク要素間の対話の観点から主に説明された。上記の機能を実装するために、各ネットワーク要素は、機能を実行するための対応するハードウェア構造および／またはソフトウェアモジュールを含むことが理解され得る。当業者は、本明細書で開示される実施形態において説明される例との関連において、ユニット、アルゴリズムステップが、本出願ではハードウェアまたはハードウェアとコンピュータソフトウェアの組合せによって実装され得ることに容易に気づいているはずである。機能が、ハードウェアに実施されるか、またはコンピュータソフトウェアによって駆動されるハードウェアによって実施されるかは、技術的解決策の特定の適用例および設計制約に依存する。当業者は、特定の適用例ごとに説明される機能を実装するために異なる方法を使用してよいが、その実装が本出願の範囲を越えると考えられるべきではない。
【０２２４】
本実施形態では、上記の方法例に基づいて、マスタ基地局、セカンダリ基地局、コアネットワークデバイス、ＵＥなどに対して機能ユニット分割が実施されてよい。たとえば、各機能ユニットが、対応する機能に基づく分割を通して取得され得るか、または２つ以上の機能が、１つの処理ユニットに一体化され得る。一体化されたユニットは、ハードウェアの形態で実装され得るか、またはソフトウェア機能ユニットの形態で実装され得る。本実施形態におけるユニット分割は一例であり、論理的機能分割にすぎず、実際の実装では別の分割方式であってよいことに留意されたい。
【０２２５】
一体化されたユニットが使用されるとき、図６は、上記の実施形態におけるマスタ基地局の可能な概略構造図である。マスタ基地局６００は、処理ユニット６０２および通信ユニット６０３を含む。処理ユニット６０２は、マスタ基地局６００の動作を制御および管理するように構成される。たとえば、処理ユニット６０２は、通信ユニット６０３を使用することによって、Ｓ２０１、Ｓ３０３、Ｓ４０２、および本明細書で説明される技術を実施するために使用される他の処理を実施する際にマスタ基地局６００をサポートするように構成される。通信ユニット６０３は、マスタ基地局６００と別のネットワークエンティティとの間の通信、たとえば、図２に示されているセカンダリ基地局、コアネットワークデバイス、およびＵＥとの通信をサポートするように構成される。マスタ基地局６００は、マスタ基地局６００のプログラムコードおよびデータを記憶するように構成された、記憶ユニット６０１をさらに含み得る。
【０２２６】
処理ユニット６０２は、中央処理ユニット（Central Processing Unit、ＣＰＵ）、汎用プロセッサ、デジタル信号プロセッサ（Digital Signal Processing、ＤＳＰ）、特定用途向け集積回路（Application-Specific Integrated Circuit、ＡＳＩＣ）、フィールドプログラマブルゲートアレイ（Field Programmable Gate Array、ＦＰＧＡ）、もしくは別のプログラマブル論理デバイス、トランジスタ論理デバイス、ハードウェア構成要素、またはそれらの組合せなど、プロセッサまたはコントローラであり得る。コントローラ／プロセッサは、本出願で開示される内容に関して説明される様々な例示的な論理ブロック、モジュール、および回路を実装または実行し得る。代替として、プロセッサは、計算機能を実装するプロセッサの組合せ、たとえば、１つもしくは複数のマイクロプロセッサの組合せ、またはＤＳＰとマイクロプロセッサとの組合せであり得る。通信ユニット６０３は、通信インターフェース、トランシーバなどであり得る。記憶ユニット６０１はメモリであり得る。
【０２２７】
処理ユニット６０２がプロセッサであり、通信ユニット６０３が通信インターフェースおよびトランシーバであり、記憶ユニット６０１がメモリであるとき、この実施形態におけるマスタ基地局は、図７に示されているマスタ基地局であり得る。
【０２２８】
図７を参照すると、マスタ基地局６１０は、プロセッサ６１２、通信インターフェース６１３、トランシーバ６１４、およびメモリ６１１を含む。通信インターフェース６１３、トランシーバ６１４、プロセッサ６１２、およびメモリ６１１は、内部接続経路を使用することによって互いに通信し、制御信号および／またはデータ信号を伝送し得る。通信インターフェース６１３は、コアネットワークデバイスと通信するように構成され得る。トランシーバ６１４は、ＵＥと通信するように構成され得る。
【０２２９】
好都合で手短な説明のために、マスタ基地局６１０中の上記の装置またはユニットの詳細な動作処理については、上記の方法実施形態における対応する処理を参照することが、当業者によって明らかに理解され得る。詳細についてここで再び説明されない。
【０２３０】
この実施形態において提供されるマスタ基地局は、セカンダリ基地局にフローの識別情報を送信し、セカンダリ基地局は、フローの識別情報に基づいてフローのＱｏＳ要件を判定し、フローのＱｏＳ要件を満たすＤＲＢにフローをマッピングし、それにより、データに対してより改良されたＱｏＳ管理を実装することができる。
【０２３１】
一体化されたユニットが使用されるとき、図８は、上記の実施形態におけるセカンダリ基地局の可能な概略構造図である。セカンダリ基地局７００は、処理ユニット７０２および通信ユニット７０３を含む。処理ユニット７０２は、セカンダリ基地局７００の動作を制御および管理するように構成される。たとえば、処理ユニット７０２は、通信ユニット７０３を使用することによって、Ｓ２０２、Ｓ３０４、Ｓ４０３、および本明細書で説明される技術を実施するために使用される他の処理を実施する際にセカンダリ基地局７００をサポートするように構成される。通信ユニット７０３は、セカンダリ基地局７００と別のネットワークエンティティとの間の通信、たとえば、図２に示されているマスタ基地局、コアネットワークデバイス、およびＵＥとの通信をサポートするように構成される。セカンダリ基地局７００は、セカンダリ基地局７００のプログラムコードおよびデータを記憶するように構成された、記憶ユニット７０１をさらに含み得る。
【０２３２】
処理ユニット７０２は、プロセッサまたはコントローラであってよく、たとえば、ＣＰＵ、汎用プロセッサ、ＤＳＰ、ＡＳＩＣ、ＦＰＧＡもしくは別のプログラミング論理デバイス、トランジスタ論理デバイス、ハードウェア構成要素、またはそれらの任意の組合せであり得る。コントローラ／プロセッサは、本出願で開示される内容に関して説明される様々な例示的な論理ブロック、モジュール、および回路を実装または実行し得る。代替として、プロセッサは、計算機能を実装するプロセッサの組合せ、たとえば、１つもしくは複数のマイクロプロセッサの組合せ、またはＤＳＰとマイクロプロセッサとの組合せであり得る。通信ユニット７０３は、通信インターフェース、トランシーバなどであり得る。記憶ユニット７０１はメモリであり得る。
【０２３３】
処理ユニット７０２がプロセッサであり、通信ユニット７０３が通信インターフェースおよびトランシーバであり、記憶ユニット７０１がメモリであるとき、この実施形態におけるセカンダリ基地局は、図９に示されているセカンダリ基地局であり得る。
【０２３４】
図９を参照すると、セカンダリ基地局７１０は、プロセッサ７１２、通信インターフェース７１３、トランシーバ７１４、およびメモリ７１１を含む。通信インターフェース７１３、トランシーバ７１４、プロセッサ７１２、およびメモリ７１１は、内部接続経路を使用することによって互いに通信し、制御信号および／またはデータ信号を伝送し得る。通信インターフェース７１３は、コアネットワークデバイスと通信するように構成され得る。トランシーバ７１４は、ＵＥと通信するように構成され得る。
【０２３５】
好都合で手短な説明のために、セカンダリ基地局７１０中の上記の装置またはユニットの詳細な動作処理については、上記の方法実施形態における対応する処理を参照することが、当業者によって明らかに理解され得る。詳細についてここで再び説明されない。
【０２３６】
この実施形態において提供されるセカンダリ基地局は、マスタ基地局によって送られたフローの識別情報を受信して、フローの識別情報に基づいてフローのＱｏＳ要件を判定し、フローのＱｏＳ要件を満たすＤＲＢにフローをマッピングし、それにより、データに対してより改良されたＱｏＳ管理を実装する。
【０２３７】
一体化されたユニットが使用されるとき、図１０は、上記の実施形態におけるコアネットワークデバイスの可能な概略構造図である。コアネットワークデバイス８００は、処理ユニット８０２および通信ユニット８０３を含む。処理ユニット８０２は、コアネットワークデバイス８００の動作を制御および管理するように構成される。たとえば、処理ユニット８０２は、通信ユニット８０３を使用することによって、Ｓ２０３およびＳ２０４ならびに本明細書で説明される技術を実施するために使用される他の処理に対応する受信処理を実施する際にコアネットワークデバイス８００をサポートするように構成される。通信ユニット８０３は、コアネットワークデバイス８００と別のネットワークエンティティとの間の通信、たとえば、図２に示されているマスタ基地局およびセカンダリ基地局との通信をサポートするように構成される。コアネットワークデバイス８００は、コアネットワークデバイス８００のプログラムコードおよびデータを記憶するように構成された、記憶ユニット８０１をさらに含み得る。
【０２３８】
処理ユニット８０２は、プロセッサまたはコントローラであってよく、たとえば、ＣＰＵ、汎用プロセッサ、ＤＳＰ、ＡＳＩＣ、ＦＰＧＡもしくは別のプログラミング論理デバイス、トランジスタ論理デバイス、ハードウェア構成要素、またはそれらの任意の組合せであり得る。コントローラ／プロセッサは、本出願で開示される内容に関して説明される様々な例示的な論理ブロック、モジュール、および回路を実装または実行し得る。代替として、プロセッサは、計算機能を実装するプロセッサの組合せ、たとえば、１つもしくは複数のマイクロプロセッサの組合せ、またはＤＳＰとマイクロプロセッサとの組合せであり得る。通信ユニット８０３は、通信インターフェースなどであり得る。記憶ユニット８０１はメモリであり得る。
【０２３９】
処理ユニット８０２がプロセッサであり、通信ユニット８０３が通信インターフェースであり、記憶ユニット８０１がメモリであるとき、この実施形態におけるコアネットワークデバイスは、図１１に示されているコアネットワークデバイスであり得る。
【０２４０】
図１１を参照すると、コアネットワークデバイス８１０は、プロセッサ８１２、通信インターフェース８１３、およびメモリ８１１を含む。通信インターフェース８１３、プロセッサ８１２、およびメモリ８１１は、内部接続経路を使用することによって互いに通信し、制御信号および／またはデータ信号を伝送し得る。通信インターフェース８１３は、マスタ基地局およびセカンダリ基地局と通信するように構成され得る。
【０２４１】
好都合で手短な説明のために、コアネットワークデバイス８１０中の上記の装置またはユニットの詳細な動作処理については、上記の方法実施形態における対応する処理を参照することが、当業者によって明らかに理解され得る。詳細についてここで再び説明されない。
【０２４２】
この実施形態において提供されるコアネットワークデバイスは、マスタ基地局上のフローに対応するトンネルエンドポイント情報およびセカンダリ基地局上のフローに対応するトンネルエンドポイント情報に基づいてマスタ基地局およびセカンダリ基地局にフローを送信し、それらの２つのトンネルエンドポイント情報は、マスタ基地局から受信されるか、またはマスタ基地局から受信されセカンダリ基地局上のセカンダリ基地局に移動させられたフローに対応するトンネルエンドポイント情報に基づいて受信され、ベアラは、フロー情報に基づいて作成および転送されることが可能である。
【０２４３】
一体化されたユニットが使用されるとき、図１２は、上記の実施形態におけるＵＥの可能な概略構造図である。ＵＥ９００は、処理ユニット９０２および通信ユニット９０３を含む。処理ユニット９０２は、ＵＥ９００の動作を制御および管理するように構成される。たとえば、処理ユニット９０２は、通信ユニット９０３を使用することによって、Ｓ５０１およびＳ５０２ならびに本明細書で説明される技術を実施するために使用される他の処理を実施する際にＵＥ９００をサポートするように構成される。通信ユニット９０３は、ＵＥ９００と別のネットワークエンティティとの間の通信、たとえば、図２に示されているマスタ基地局およびセカンダリ基地局との通信をサポートするように構成される。ＵＥ９００は、ＵＥ９００のプログラムコードおよびデータを記憶するように構成された、記憶ユニット９０１をさらに含み得る。
【０２４４】
処理ユニット９０２は、プロセッサまたはコントローラであってよく、たとえば、ＣＰＵ、汎用プロセッサ、ＤＳＰ、ＡＳＩＣ、ＦＰＧＡもしくは別のプログラミング論理デバイス、トランジスタ論理デバイス、ハードウェア構成要素、またはそれらの任意の組合せであり得る。コントローラ／プロセッサは、本出願で開示される内容に関して説明される様々な例示的な論理ブロック、モジュール、および回路を実装または実行し得る。代替として、プロセッサは、計算機能を実装するプロセッサの組合せ、たとえば、１つもしくは複数のマイクロプロセッサの組合せ、またはＤＳＰとマイクロプロセッサとの組合せであり得る。通信ユニット９０３は、トランシーバなどであり得る。記憶ユニット９０１はメモリであり得る。
【０２４５】
処理ユニット９０２がプロセッサであり、通信ユニット９０３がトランシーバであり、記憶ユニット９０１がメモリであるとき、この実施形態におけるＵＥは、図１３に示されているＵＥであり得る。
【０２４６】
図１３を参照すると、ＵＥ９１０は、プロセッサ９１２、トランシーバ９１３、およびメモリ９１１を含む。トランシーバ９１３、プロセッサ９１２、およびメモリ９１１は、内部接続経路を使用することによって互いに通信し、制御信号および／またはデータ信号を伝送し得る。トランシーバ９１３は、マスタ基地局およびセカンダリ基地局と通信するように構成され得る。
【０２４７】
好都合で手短な説明のために、ＵＥ９１０中の上記の装置またはユニットの詳細な動作処理については、上記の方法実施形態における対応する処理を参照することが、当業者によって明らかに理解され得る。詳細についてここで再び説明されない。
【０２４８】
したがって、この実施形態において提供されるＵＥは、送られるべきデータが属するフローの識別情報に基づいて、データのＱｏＳ要件に一致するＤＲＢを判定することがあり、ベアラは、フロー情報に基づいて作成および転送されることが可能である。
【０２４９】
上記の処理のシーケンス番号は、本出願の様々な実施形態における実行シーケンスを意味しないことを理解されたい。処理の実行シーケンスは、処理の機能および内部論理に基づいて判定されるべきであり、本実施形態の実装処理に対するいかなる限定としても解釈されるべきではない。
【０２５０】
加えて、本明細書における「および／または」という用語は、関連する対象について説明するための結合関係のみを記述し、３つの関係が存在し得ることを表す。たとえば、Ａおよび／またはＢは、Ａのみが存在すると、ＡとＢの両方が存在すると、Ｂのみが存在するとの、３つの場合を表し得る。加えて、本明細書における「／」という文字は、関連する対象間の「または」関係を概して示す。
【０２５１】
上記の実施形態の全部または一部は、ソフトウェア、ハードウェア、ファームウェア、またはそれらの任意の組合せを通して実装され得る。本実施形態を実装するためにソフトウェアが使用されるとき、本実施形態は、すべてまたは部分的に、コンピュータプログラム製品の形態で実装され得る。コンピュータプログラム製品は１つまたは複数のコンピュータ命令を含む。コンピュータプログラム命令がコンピュータ上にロードされ、実行されるとき、本出願による手順または機能がすべてまたは部分的に生成される。コンピュータは、汎用計算機、専用コンピュータ、コンピュータネットワーク、または他のプログラマブル装置であり得る。コンピュータ命令は、コンピュータ可読記憶媒体に記憶され得るか、またはコンピュータ可読記憶媒体から別のコンピュータ可読記憶媒体に伝送され得る。たとえば、コンピュータ命令は、ワイヤード（たとえば、同軸ケーブル、光ファイバー、もしくはデジタル加入者線（ＤＳＬ））またはワイヤレス（たとえば、赤外線、無線、もしくはマイクロ波）方式でウェブサイト、コンピュータ、サーバ、またはデータセンターから別のウェブサイト、コンピュータ、サーバ、またはデータセンターに伝送され得る。コンピュータ可読記憶媒体は、コンピュータによってアクセス可能な任意の使用可能な媒体であるか、または１つもしくは複数の使用可能な媒体を組み込んでいるサーバもしくはデータセンターなどのデータ記憶デバイスであり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートディスク（solid state disk、ＳＳＤ））などであり得る。
【０２５２】
本出願の目的、技術的解決策、および利益について、上記の特定の実装において詳細にさらに説明された。上記の説明は、本出願の特定の実装にすぎず、本出願の保護範囲を限定するものではないことを理解されたい。本出願の技術的解決策に基づいて行われたいかなる変更、等価な置換、または改善も本出願の保護範囲内に入るものである。
【図１】
0006923655.tif 000009
【図２】
0006923655.tif 000010
【図３】
0006923655.tif 000011
【図４】
0006923655.tif 000012
【図５】
0006923655.tif 000013
【図６】
0006923655.tif 000014
【図７】
0006923655.tif 000015
【図８】
0006923655.tif 000016
【図９】
0006923655.tif 000017
【図１０】
0006923655.tif 000018
【図１１】
0006923655.tif 000019
【図１２】
0006923655.tif 000020
【図１３】
0006923655.tif 000021